(57)【要約】  本願の実施例は、ページング又はブロードキャストメッセージの送信において柔軟性を改善し得るための無線通信方法及び装置を提供する。該方法は、ネットワーク装置が端末装置に対してのページング、又はブロードキャストメッセージの送信の方式を確定することであって、確定された前記方式が第１の方式と第２の方式のいずれかであり、前記第１の方式において、特定の周波数点でのページング又はブロードキャストメッセージの送信が、第１のパラメータセットを使用し、前記第２の方式において、特定の周波数点でのページング又はブロードキャストメッセージの送信が、第２のパラメータセットを使用することと、前記ネットワーク装置が、確定された前記方式に応じて、特定の周波数点で、前記端末装置に対してページングを行い、又は前記ブロードキャストメッセージを送信することと、を含む。
2021510285.tif 000002
【特許請求の範囲】
【請求項１】
無線通信方法であって、
ネットワーク装置が、端末装置に対してのページング、又はブロードキャストメッセージの送信の方式を確定することであって、確定された前記方式が第１の方式と第２の方式のいずれかであり、前記第１の方式において、特定の周波数点でのページング又はブロードキャストメッセージの送信が、第１のパラメータセットを使用し、前記第２の方式において、特定の周波数点でのページング又はブロードキャストメッセージの送信が、第２のパラメータセットを使用することと、
前記ネットワーク装置が、確定された前記方式に応じて、特定の周波数点で、前記端末装置に対してページングを行い、又は前記ブロードキャストメッセージを送信することと、を含むことを特徴とする、
無線通信方法。
【請求項２】
前記ネットワーク装置が端末装置に対してのページング、又はブロードキャストメッセージの送信の方式を確定する前に、
前記ネットワーク装置が、前記端末装置に対してページングを行うページング機会を確定することを更に含み、
前記ネットワーク装置が端末装置に対してのページング、又はブロードキャストメッセージの送信の方式を確定することは、
前記ネットワーク装置が、前記ページング機会で前記端末装置に対してページングを行う方式を確定することを含むことを特徴とする
請求項１に記載の方法。
【請求項３】
前記第１のパラメータセットと前記第２のパラメータセットのそれぞれが、ページング又は前記ブロードキャストメッセージの送信が占用する必要がある時間位置、時間長、サブ搬送波間隔、及び時間位置の間の間隔のうちの少なくとも１つを含むことを特徴とする
請求項１又は２に記載の方法。
【請求項４】
前記ネットワーク装置が前記端末装置に対してページングを行う又は前記ブロードキャストメッセージを送信することは、
前記時間位置で、ページングのためのＰＤＣＣＨ及び／又はＰＤＳＣＨを送信することを含むことを特徴とする
請求項３に記載の方法。
【請求項５】
各時間位置は１つのビームスキャンに対応することを特徴とする
請求項３又は４に記載の方法。
【請求項６】
前記第１のパラメータセットは、同期信号ブロックを実際に送信するのに用いられるパラメータセットを参照したものであり、前記第２のパラメータセットは、同期信号ブロックを実際に送信するのに用いられるパラメータセットを参照していないものであることを特徴とする
請求項１〜５のいずれか１項に記載の方法。
【請求項７】
前記ネットワーク装置は、第１の情報を前記端末装置に送信することを更に含み、前記第１の情報が、ページング又はブロードキャストメッセージ送信の方式を通知する、又は前記第１のパラメータセット及び／又は前記第２のパラメータセットを通知するために用いられること特徴とする
請求項１〜６のいずれか１項に記載の方法。
【請求項８】
前記第１の情報は、残存最小システム情報（ＲＭＳＩ）、他のシステム情報（ＯＳＩ）、オンデマンドシステム情報又は無線リソース制御（ＲＲＣ）メッセージにより搬送されることを特徴とする
請求項７に記載の方法。
【請求項９】
前記ネットワーク装置が端末装置に対してのページング、又はブロードキャストメッセージの送信の方式を確定することは、
前記ネットワーク装置が、現在、ページングするページング機会又は前記ブロードキャストメッセージを送信する時間帯に応じて、前記端末装置に対してのページング、又はブロードキャストメッセージの送信の方式を確定することを含むことを特徴とする
請求項１〜８のいずれか１項に記載の方法。
【請求項１０】
前記ネットワーク装置が、第２の情報を前記端末装置に送信することをさらに含み、前記第２の情報が、ページング又は前記ブロードキャストメッセージの送信の方式と時間帯との関連関係を通知するために用いられることを特徴とする
請求項９に記載の方法。
【請求項１１】
前記第２の情報は、残存最小システム情報（ＲＭＳＩ）、他のシステム情報（ＯＳＩ）、オンデマンドシステム情報又は無線リソース制御（ＲＲＣ）メッセージにより搬送されることを特徴とする
請求項１０に記載の方法。
【請求項１２】
前記ネットワーク装置が端末装置に対してのページング、又はブロードキャストメッセージの送信の方式を確定することは、
ページング又はブロードキャストメッセージ送信の時間範囲内において、同期信号ブロックを送信しているか否か、又はページング又はブロードキャストメッセージ送信の時間範囲内に、同期信号ブロックの候補送信時間位置があるか否かに基づいて、ページング又はブロードキャストメッセージ送信の方式を確定することを含むことを特徴とする
請求項６又は９〜１１のいずれか１項に記載の方法。
【請求項１３】
ページング又はブロードキャストメッセージ送信の時間範囲内において、同期信号ブロックを送信しているか否か、又はページング又はブロードキャストメッセージ送信の時間範囲内に、同期信号ブロックの候補送信時間位置があるか否かに基づいて、ページング又はブロードキャストメッセージ送信の方式を確定することは、
ページング又はブロードキャストメッセージ送信の時間範囲内において、同期信号ブロックを送信している、又はページング又はブロードキャストメッセージ送信の時間範囲内に、同期信号ブロックの候補送信時間位置がある場合、ページング又はブロードキャストメッセージ送信の方式を前記第１の方式として確定することと、
ページング又はブロードキャストメッセージ送信の時間範囲内において、同期信号ブロックを送信していない、又はページング又はブロードキャストメッセージ送信の時間範囲内に、同期信号ブロックの候補送信時間位置がない場合、ページング又はブロードキャストメッセージ送信の方式を前記第２の方式として確定することと、を含むことを特徴とする
請求項１２に記載の方法。
【請求項１４】
前記ネットワーク装置が、確定された前記方式に応じて、前記特定の周波数点で、前記端末装置に対してページングを行い、又はブロードキャストメッセージを送信することは、
確定された方式が前記第１の方式である場合、前記特定の周波数点で同期信号ブロックを実際に送信する時間長、時間位置における少なくとも一部のシンボル、サブ搬送波間隔及び時間位置の間の間隔のうちの少なくとも１つを、前記特定の周波数点でのページング又はブロードキャストメッセージの送信が必要とする時間長、時間位置における少なくとも一部のシンボル、サブ搬送波間隔及び時間位置の間の間隔のうちの少なくとも１つ、として確定することと、
確定された前記時間長、時間位置、サブ搬送波間隔及び時間位置の間の間隔のうちの少なくとも１つに基づいて、前記特定の周波数点で、前記端末装置に対してページングを行い、又はブロードキャストメッセージを送信することと、を含むことを特徴とする
請求項６、１２又は１３に記載の方法。
【請求項１５】
確定された前記時間長及び／又は位置に基づいて、前記特定の周波数点で、前記端末装置に対してページングを行い、又はブロードキャストメッセージを送信することは、
前記特定の周波数点で、同期信号ブロックの送信と同じビームパラメータ設定を用いて、前記端末装置に対してページングを行い、又はブロードキャストメッセージを送信することを含むことを特徴とする
請求項１４に記載の方法。
【請求項１６】
前記ネットワーク装置が、確定された前記方式に応じて、前記端末装置に対してページングを行い、又はブロードキャストメッセージを送信することは、
確定された前記方式が第２の方式である場合、前記特定の周波数点で、連続するＮ個の時間位置において、前記端末装置に対してページングを行い、又はブロードキャストメッセージを送信することを含むことを特徴とする
請求項１〜１３のいずれか１項に記載の方法。
【請求項１７】
前記Ｎ個の時間位置は、Ｑ個のタイムスロットを占有し、Ｎ個の時間位置の開始点は、前記Ｑ個のタイムスロット内の１番目のタイムスロットのＭ番目のシンボルであり、ここで、前記Ｑは１以上の整数であり、前記Ｍは１以上の整数であることを特徴とする
請求項１６に記載の方法。
【請求項１８】
前記ネットワーク装置が、確定された前記方式に応じて、前記端末装置に対してページングを行い、又はブロードキャストメッセージを送信することは、
確定された前記方式が第２の方式である場合、少なくとも２つの隣接する時間位置の間で連続しないＮ個の時間位置において、前記端末装置に対してページングを行い、又はブロードキャストメッセージを送信することを含むことを特徴とする
請求項１〜１３のいずれか１項に記載の方法。
【請求項１９】
前記Ｎ個の時間位置は、Ｔ個の時間位置を含むＲ個のタイムスロットを占有し、ここで、前記Ｒは１以上の整数であり、前記Ｔは１以上の整数であることを特徴とする
請求項１８に記載の方法。
【請求項２０】
前記各タイムスロットにおいて、前記Ｔ個の時間位置の開始点は、前記各タイムスロットのＳ番目のシンボルであり、ここで、前記Ｓは１以上の整数であることを特徴とする
請求項１９に記載の方法。
【請求項２１】
前記各タイムスロットにおいて、前記Ｔ個の時間位置の終了点は、前記各タイムスロットの後ろからＰ番目のシンボルであり、ここで、前記Ｐは１以上の整数であることを特徴とする
請求項１９に記載の方法。
【請求項２２】
前記Ｔが１より大きい場合、前記Ｔ個の時間位置のいずれか２つの時間位置は連続しないことを特徴とする
請求項１９〜２１のいずれか１項に記載の方法。
【請求項２３】
前記Ｔが１より大きい場合、前記Ｔ個の時間位置に少なくとも２つの連続する時間位置が存在することを特徴とする
請求項１９〜２１のいずれか１項に記載の方法。
【請求項２４】
同一のタイムスロット内において、前記少なくとも２つの連続する時間位置と、隣接する前記少なくとも２つの連続する時間位置との間に、少なくとも１つのシンボルの間隔が取られていることを特徴とする
請求項２３に記載の方法。
【請求項２５】
無線通信方法であって、
端末装置が、ネットワーク装置からの前記端末装置に対してのページング又はブロードキャストメッセージの送信の方式を確定することであって、確定された前記方式が第１の方式と第２の方式のいずれかであり、前記第１の方式において、特定の周波数点でのページング又はブロードキャストメッセージの送信が、第１のパラメータセットを使用し、前記第２の方式において、特定の周波数点でのページング又はブロードキャストメッセージの送信が、第２のパラメータセットを使用することと、
前記端末装置が、確定された前記方式に応じて、特定の周波数点で、前記ネットワーク装置からの、前記端末装置に対してのページング又はブロードキャストメッセージの送信をモニタリングすることと、を含むことを特徴とする、
無線通信方法。
【請求項２６】
前記端末装置が、ネットワーク装置からの前記端末装置に対してのページング又はブロードキャストメッセージの送信の方式を確定する前に、
前記端末装置が、前記ネットワーク装置からの前記端末装置に対してのページング機会を確定することを更に含み、
前記端末装置が、ネットワーク装置からの前記端末装置に対してのページング又はブロードキャストメッセージの送信の方式を確定することは、
前記端末装置が、前記ページング機会内で前記ネットワーク装置が前記端末装置に対してページングを行う方式を確定することを含むことを特徴とする
請求項２５に記載の方法。
【請求項２７】
前記第１のパラメータセットと前記第２のパラメータセットのそれぞれが、ページング又は前記ブロードキャストメッセージの送信が占用する必要がある時間位置、時間長、サブ搬送波間隔、及び時間位置の間の間隔のうちの少なくとも１つを含むことを特徴とする
請求項２５又は２６に記載の方法。
【請求項２８】
前記端末装置が、前記ネットワーク装置からの、前記端末装置に対してのページング又はブロードキャストメッセージの送信をモニタリングすることは、
前記端末装置が、前記時間位置で、ページングのためのＰＤＣＣＨ及び／又はＰＤＳＣＨをモニタリングすることを含むことを特徴とする
請求項２７に記載の方法。
【請求項２９】
前記第１のパラメータセットは、同期信号ブロックを実際に送信するのに用いられるパラメータセットを参照したものであり、前記第２のパラメータセットは、同期信号ブロックを実際に送信するのに用いられるパラメータセットを参照していないものであることを特徴とする
請求項２５〜２８のいずれか１項に記載の方法。
【請求項３０】
前記端末装置は、前記端末装置により送信された第１の情報を受信することを更に含み、前記第１の情報が、ページング又はブロードキャストメッセージ送信の方式を通知する、又は前記第１のパラメータセット及び／又は前記第２のパラメータセットを通知するために用いられることを特徴とする
請求項２５〜２９のいずれか１項に記載の方法。
【請求項３１】
前記第１の情報は、残存最小システム情報（ＲＭＳＩ）、他のシステム情報（ＯＳＩ）、オンデマンドシステム情報又は無線リソース制御（ＲＲＣ）メッセージにより搬送されることを特徴とする
請求項３０に記載の方法。
【請求項３２】
前記端末装置が、ネットワーク装置からの前記端末装置に対してのページング又はブロードキャストメッセージの送信の方式を確定することは、
前記端末装置が、現在ページングするページング機会又はブロードキャストメッセージを送信する時間帯に応じて、前記ネットワーク装置からの前記端末装置に対してのページング又はブロードキャストメッセージの送信の方式を確定することを含むことを特徴とする
請求項２５〜３１のいずれか１項に記載の方法。
【請求項３３】
前記端末装置が、前記ネットワーク装置により送信された第２の情報を受信することをさらに含み、前記第２の情報が、ページング又はブロードキャストメッセージの送信の方式と時間帯との関連関係を通知するために用いられ、又は
前記ネットワーク装置からの前記端末装置に対してのページング又はブロードキャストメッセージの送信の方式と時間帯との関連関係は、前記端末装置に予め設定されることを特徴とする
請求項３２に記載の方法。
【請求項３４】
前記第２の情報は、残存最小システム情報（ＲＭＳＩ）、他のシステム情報（ＯＳＩ）、オンデマンドシステム情報又は無線リソース制御（ＲＲＣ）メッセージにより搬送されることを特徴とする
請求項３３に記載の方法。
【請求項３５】
前記端末装置が、ネットワーク装置からの前記端末装置に対してのページング又はブロードキャストメッセージの送信の方式を確定することは、
前記端末装置が、前記ネットワーク装置からの前記端末装置に対してのページング又はブロードキャストメッセージの送信の時間範囲内において、同期信号ブロックが送信されているか否か、又は前記ネットワーク装置からの前記端末装置に対してのページング又はブロードキャストメッセージの送信の時間範囲内に、同期信号ブロックの候補送信時間位置があるか否かに基づいて、前記ネットワーク装置からの前記端末装置に対してのページング又はブロードキャストメッセージの送信の方式を確定することを含むことを特徴とする
請求項２９又は３２〜３４のいずれか１項に記載の方法。
【請求項３６】
前記端末装置が、前記ネットワーク装置からの前記端末装置に対してのページング又はブロードキャストメッセージの送信の時間範囲内において、同期信号ブロックが送信されているか否か、又は前記ネットワーク装置からの前記端末装置に対してのページング又はブロードキャストメッセージの送信の時間範囲内に、同期信号ブロックの候補送信時間位置があるか否かに基づいて、前記ネットワーク装置からの前記端末装置に対してのページング又はブロードキャストメッセージの送信の方式を確定することは、
前記ネットワーク装置からの前記端末装置に対してのページング又はブロードキャストメッセージの送信の時間範囲内において、前記ネットワーク装置から同期信号ブロックが送信されていること、又は前記ネットワーク装置からの前記端末装置に対してのページング又はブロードキャストメッセージの送信の時間範囲内に、同期信号ブロックの候補送信時間位置があることを確定した場合、ページング又はブロードキャストメッセージ送信の方式を前記第１の方式として確定することと、
前記ネットワーク装置からの前記端末装置に対してのページング又はブロードキャストメッセージの送信の時間範囲内において、前記ネットワーク装置から同期信号ブロックが送信されていないこと、又は前記ネットワーク装置からの前記端末装置に対してのページング又はブロードキャストメッセージの送信の時間範囲内に、同期信号ブロックの候補送信時間位置がないことを確定した場合、ページング又はブロードキャストメッセージ送信の方式を前記第２の方式として確定することと、を含むことを特徴とする
請求項３５に記載の方法。
【請求項３７】
前記端末装置が、確定された前記方式に応じて、前記特定の周波数点で、前記ネットワーク装置からの、前記端末装置に対してのページング又はブロードキャストメッセージの送信をモニタリングすることは、
確定された方式が前記第１の方式である場合、前記特定の周波数点で前記ネットワーク装置が同期信号ブロックを実際に送信する時間長、時間位置における少なくとも一部のシンボル、サブ搬送波間隔及び時間位置の間隔のうちの少なくとも１つを、前記特定の周波数点で、前記ネットワーク装置が前記端末装置に対してページングを行い、又はブロードキャストメッセージを送信するのに用いる時間長、時間位置における少なくとも一部のシンボル、サブ搬送波間隔及び時間位置の間隔のうちの少なくとも１つ、として確定することと、
前記端末装置が、確定された前記時間長、時間位置及び／又はサブ搬送波間隔に基づいて、前記特定の周波数点で、前記ネットワーク装置からの、前記端末装置に対してのページング又はブロードキャストメッセージの送信をモニタリングすることと、を含むことを特徴とする
請求項２９、３５又は３６に記載の方法。
【請求項３８】
前記端末装置が、確定された前記方式に応じて、前記特定の周波数点で、前記ネットワーク装置からの、前記端末装置に対してのページング又はブロードキャストメッセージの送信をモニタリングすることは、
確定された前記方式が第２の方式である場合、前記特定の周波数点で、連続するＮ個の時間位置において、前記ネットワーク装置からの、前記端末装置に対してのページング又はブロードキャストメッセージの送信をモニタリングすることを含むことを特徴とする
請求項２５〜３６のいずれか１項に記載の方法。
【請求項３９】
前記Ｎ個の時間位置は、Ｑ個のタイムスロットを占有し、Ｎ個の時間位置の開始点は、前記Ｑ個のタイムスロット内の１番目のタイムスロットのＭ番目のシンボルであり、ここで、前記Ｑは１以上の整数であり、前記Ｍは１以上の整数であることを特徴とする
請求項３８に記載の方法。
【請求項４０】
前記端末装置が、確定された前記方式に応じて、前記特定の周波数点で、前記ネットワーク装置からの、前記端末装置に対してのページング又はブロードキャストメッセージの送信をモニタリングすることは、
前記端末装置が、確定された前記方式が第２の方式である場合、少なくとも２つの隣接する時間位置の間で連続しないＮ個の時間位置で、前記ネットワーク装置からの、前記端末装置に対してのページング又はブロードキャストメッセージの送信をモニタリングすることを含むことを特徴とする
請求項２５〜３６のいずれか１項に記載の方法。
【請求項４１】
前記Ｎ個の時間位置は、Ｔ個の時間位置を含むＲ個のタイムスロットを占有し、ここで、前記Ｒは１以上の整数であり、前記Ｔは１以上の整数であることを特徴とする
請求項４０に記載の方法。
【請求項４２】
前記各タイムスロットにおいて、前記Ｔ個の時間位置の開始点は、前記各タイムスロットのＳ番目のシンボルであり、ここで、前記Ｓは１以上の整数であることを特徴とする
請求項４１に記載の方法。
【請求項４３】
前記各タイムスロットにおいて、前記Ｔ個の時間位置の終了点は、前記各タイムスロットの後ろからＰ番目のシンボルであり、ここで、前記Ｐは１以上の整数であることを特徴とする
請求項４１に記載の方法。
【請求項４４】
前記Ｔが１より大きい場合、前記Ｔ個の時間位置のいずれか２つの時間位置は連続しないことを特徴とする
請求項４１〜４３のいずれか１項に記載の方法。
【請求項４５】
前記Ｔが１より大きい場合、前記Ｔ個の時間位置に少なくとも２つの連続する時間位置が存在することを特徴とする
請求項４１〜４３のいずれか１項に記載の方法。
【請求項４６】
同一のタイムスロット内において、前記少なくとも２つの連続する時間位置と、隣接する前記少なくとも２つの連続する時間位置との間に、少なくとも１つのシンボルの間隔が取られていることを特徴とする
請求項４５に記載の方法。
【請求項４７】
ネットワーク装置であって、
端末装置に対してのページング、又はブロードキャストメッセージの送信の方式を確定するように構成される処理ユニットであって、確定された前記方式が第１の方式と第２の方式のいずれかであり、前記第１の方式において、特定の周波数点でのページング又はブロードキャストメッセージの送信が、第１のパラメータセットを使用し、前記第２の方式において、特定の周波数点でのページング又はブロードキャストメッセージの送信が、第２のパラメータセットを使用する処理ユニットと、
確定された前記方式に応じて、特定の周波数点で、前記端末装置に対してページングを行い、又は前記ブロードキャストメッセージを送信するように構成される通信ユニットと、を備えることを特徴とする、
ネットワーク装置。
【請求項４８】
前記処理ユニットは、更に、前記端末装置に対してページングを行うページング機会を確定するように構成され、
前記通信ユニットは、更に、前記ページング機会で前記端末装置に対してページングを行う方式を確定するように構成されることを特徴とする
請求項４７に記載の装置。
【請求項４９】
前記第１のパラメータセットと前記第２のパラメータセットのそれぞれが、ページング又は前記ブロードキャストメッセージの送信が占用する必要がある時間位置、時間長、サブ搬送波間隔、及び時間位置の間の間隔のうちの少なくとも１つを含むことを特徴とする
請求項４７又は４８に記載の装置。
【請求項５０】
前記通信ユニットは、更に、
前記時間位置で、ページングのためのＰＤＣＣＨ及び／又はＰＤＳＣＨを送信するように構成されることを特徴とする
請求項４９に記載の装置。
【請求項５１】
各時間位置は１つのビームスキャンに対応することを特徴とする
請求項４９又は５０に記載の装置。
【請求項５２】
前記第１のパラメータセットは、同期信号ブロックを実際に送信するのに用いられるパラメータセットを参照したものであり、前記第２のパラメータセットは、同期信号ブロックを実際に送信するのに用いられるパラメータセットを参照していないものであることを特徴とする
請求項４７〜５１のいずれか１項に記載の装置。
【請求項５３】
前記通信ユニットは、更に、
第１の情報を前記端末装置に送信するように構成され、前記第１の情報が、ページング又はブロードキャストメッセージ送信の方式を通知する、又は前記第１のパラメータセット及び／又は前記第２のパラメータセットを通知するために用いられることを特徴とする
請求項４７〜５２のいずれか１項に記載の装置。
【請求項５４】
前記第１の情報は、残存最小システム情報（ＲＭＳＩ）、他のシステム情報（ＯＳＩ）、オンデマンドシステム情報又は無線リソース制御（ＲＲＣ）メッセージにより搬送されることを特徴とする
請求項５３に記載の装置。
【請求項５５】
前記処理ユニットは、更に、
現在、ページングするページング機会又は前記ブロードキャストメッセージを送信する時間帯に応じて、前記端末装置に対してのページング、又はブロードキャストメッセージの送信の方式を確定するように構成されることを特徴とする
請求項４７〜５４のいずれか１項に記載の装置。
【請求項５６】
前記通信ユニットは、更に、
第２の情報を前記端末装置に送信するように構成され、前記第２の情報が、ページング又は前記ブロードキャストメッセージの送信の方式と時間帯との関連関係を通知するために用いられることを特徴とする
請求項５５に記載の装置。
【請求項５７】
前記第２の情報は、残存最小システム情報（ＲＭＳＩ）、他のシステム情報（ＯＳＩ）、オンデマンドシステム情報又は無線リソース制御（ＲＲＣ）メッセージにより搬送されることを特徴とする
請求項５６に記載の装置。
【請求項５８】
前記処理ユニットは、更に、
ページング又はブロードキャストメッセージ送信の時間範囲内において、同期信号ブロックを送信しているか否か、又はページング又はブロードキャストメッセージ送信の時間範囲内に、同期信号ブロックの候補送信時間位置があるか否かに基づいて、ページング又はブロードキャストメッセージ送信の方式を確定するように構成されることを特徴とする
請求項５２又は５５〜５７のいずれか１項に記載の装置。
【請求項５９】
前記処理ユニットは、更に、
ページング又はブロードキャストメッセージ送信の時間範囲内において、同期信号ブロックを送信している、又はページング又はブロードキャストメッセージ送信の時間範囲内に、同期信号ブロックの候補送信時間位置がある場合、ページング又はブロードキャストメッセージ送信の方式を前記第１の方式として確定し、
ページング又はブロードキャストメッセージ送信の時間範囲内において、同期信号ブロックを送信していない、又はページング又はブロードキャストメッセージ送信の時間範囲内に、同期信号ブロックの候補送信時間位置がない場合、ページング又はブロードキャストメッセージ送信の方式を前記第２の方式として確定するように構成されることを特徴とする
請求項５８に記載の装置。
【請求項６０】
前記通信ユニットは、更に、
確定された方式が前記第１の方式である場合、前記特定の周波数点で同期信号ブロックを実際に送信する時間長、時間位置における少なくとも一部のシンボル、サブ搬送波間隔及び時間位置の間の間隔のうちの少なくとも１つを、前記特定の周波数点でのページング又はブロードキャストメッセージの送信が必要とする時間長、時間位置における少なくとも一部のシンボル、サブ搬送波間隔及び時間位置の間の間隔のうちの少なくとも１つ、として確定し、
確定された前記時間長、時間位置、サブ搬送波間隔及び時間位置の間の間隔のうちの少なくとも１つに基づいて、前記特定の周波数点で、前記端末装置に対してページングを行い、又はブロードキャストメッセージを送信するように構成されることを特徴とする
請求項５２、５８又は５９に記載の装置。
【請求項６１】
前記通信ユニットは、更に、
前記特定の周波数点で、同期信号ブロックの送信と同じビームパラメータ設定を用いて、前記端末装置に対してページングを行い、又はブロードキャストメッセージを送信するように構成されることを特徴とする
請求項６０に記載の装置。
【請求項６２】
前記通信ユニットは、更に、
確定された前記方式が第２の方式である場合、前記特定の周波数点で、連続するＮ個の時間位置において、前記端末装置に対してページングを行い、又はブロードキャストメッセージを送信するように構成されることを特徴とする
請求項４７〜５９のいずれか１項に記載の装置。
【請求項６３】
前記Ｎ個の時間位置は、Ｑ個のタイムスロットを占有し、Ｎ個の時間位置の開始点は、前記Ｑ個のタイムスロット内の１番目のタイムスロットのＭ番目のシンボルであり、ここで、前記Ｑは１以上の整数であり、前記Ｍは１以上の整数であることを特徴とする
請求項６２に記載の装置。
【請求項６４】
前記通信ユニットは、更に、
確定された前記方式が第２の方式である場合、少なくとも２つの隣接する時間位置の間で連続しないＮ個の時間位置において、前記端末装置に対してページングを行い、又はブロードキャストメッセージを送信するように構成されることを特徴とする
請求項４７〜５９のいずれか１項に記載の装置。
【請求項６５】
前記Ｎ個の時間位置は、Ｔ個の時間位置を含むＲ個のタイムスロットを占有し、ここで、前記Ｒは１以上の整数であり、前記Ｔは１以上の整数であることを特徴とする
請求項６４に記載の装置。
【請求項６６】
前記各タイムスロットにおいて、前記Ｔ個の時間位置の開始点は、前記各タイムスロットのＳ番目のシンボルであり、ここで、前記Ｓは１以上の整数であることを特徴とする
請求項６５に記載の装置。
【請求項６７】
前記各タイムスロットにおいて、前記Ｔ個の時間位置の終了点は、前記各タイムスロットの後ろからＰ番目のシンボルであり、ここで、前記Ｐは１以上の整数であることを特徴とする
請求項６５に記載の装置。
【請求項６８】
前記Ｔが１より大きい場合、前記Ｔ個の時間位置のいずれか２つの時間位置は連続しないことを特徴とする
請求項６５〜６７のいずれか１項に記載の装置。
【請求項６９】
前記Ｔが１より大きい場合、前記Ｔ個の時間位置に少なくとも２つの連続する時間位置が存在することを特徴とする
請求項６５〜６７のいずれか１項に記載の装置。
【請求項７０】
同一のタイムスロット内において、前記少なくとも２つの連続する時間位置と、隣接する前記少なくとも２つの連続する時間位置との間に、少なくとも１つのシンボルの間隔が取られていることを特徴とする
請求項６９に記載の装置。
【請求項７１】
端末装置であって、
ネットワーク装置からの前記端末装置に対してのページング又はブロードキャストメッセージの送信の方式を確定するように構成される処理ユニットであって、確定された前記方式が第１の方式と第２の方式のいずれかであり、前記第１の方式において、特定の周波数点でのページング又はブロードキャストメッセージの送信が、第１のパラメータセットを使用し、前記第２の方式において、特定の周波数点でのページング又はブロードキャストメッセージの送信が、第２のパラメータセットを使用する処理ユニットと、
確定された前記方式に応じて、特定の周波数点で、前記ネットワーク装置からの、前記端末装置に対してのページング又はブロードキャストメッセージの送信をモニタリングするように構成される通信ユニットと、を備えることを特徴とする、
端末装置。
【請求項７２】
前記処理ユニットは、更に、
前記ネットワーク装置からの前記端末装置に対してのページング機会を確定し、
前記ページング機会内で前記ネットワーク装置が前記端末装置に対してページングを行う方式を確定するように構成されることを特徴とする
請求項７１に記載の装置。
【請求項７３】
前記第１のパラメータセットと前記第２のパラメータセットのそれぞれが、ページング又は前記ブロードキャストメッセージの送信が占用する必要がある時間位置、時間長、サブ搬送波間隔、及び時間位置の間の間隔のうちの少なくとも１つを含むことを特徴とする
請求項７１又は７２に記載の装置。
【請求項７４】
前記通信ユニットは、更に、
前記時間位置で、ページングのためのＰＤＣＣＨ及び／又はＰＤＳＣＨをモニタリングするように構成されることを特徴とする
請求項７３に記載の装置。
【請求項７５】
前記第１のパラメータセットは、同期信号ブロックを実際に送信するのに用いられるパラメータセットを参照したものであり、前記第２のパラメータセットは、同期信号ブロックを実際に送信するのに用いられるパラメータセットを参照していないものであることを特徴とする
請求項７１〜７４のいずれか１項に記載の装置。
【請求項７６】
前記通信ユニットは、更に、前記端末装置により送信された第１の情報を受信するように構成され、前記第１の情報が、ページング又はブロードキャストメッセージ送信の方式を通知する、又は前記第１のパラメータセット及び／又は前記第２のパラメータセットを通知するために用いられることを特徴とする
請求項７１〜７５のいずれか１項に記載の装置。
【請求項７７】
前記第１の情報は、残存最小システム情報（ＲＭＳＩ）、他のシステム情報（ＯＳＩ）、オンデマンドシステム情報又は無線リソース制御（ＲＲＣ）メッセージにより搬送されることを特徴とする
請求項７６に記載の装置。
【請求項７８】
前記処理ユニットは、更に、
現在ページングするページング機会又はブロードキャストメッセージを送信する時間帯に応じて、前記ネットワーク装置からの前記端末装置に対してのページング又はブロードキャストメッセージの送信の方式を確定するように構成されることを特徴とする
請求項７１〜７７のいずれか１項に記載の装置。
【請求項７９】
前記通信ユニットは、更に、
前記ネットワーク装置により送信された第２の情報を受信するように構成され、前記第２の情報が、ページング又はブロードキャストメッセージの送信の方式と時間帯との関連関係を通知するために用いられ、
又は、前記ネットワーク装置からの前記端末装置に対してのページング又はブロードキャストメッセージの送信の方式と時間帯との関連関係は、前記端末装置に予め設定されることを特徴とする
請求項７８に記載の装置。
【請求項８０】
前記第２の情報は、残存最小システム情報（ＲＭＳＩ）、他のシステム情報（ＯＳＩ）、オンデマンドシステム情報又は無線リソース制御（ＲＲＣ）メッセージにより搬送されることを特徴とする
請求項７９に記載の装置。
【請求項８１】
前記処理ユニットは、更に、
前記ネットワーク装置からの前記端末装置に対してのページング又はブロードキャストメッセージの送信の時間範囲内において、同期信号ブロックが送信されているか否か、又は前記ネットワーク装置からの前記端末装置に対してのページング又はブロードキャストメッセージの送信の時間範囲内に、同期信号ブロックの候補送信時間位置があるか否かに基づいて、前記ネットワーク装置からの前記端末装置に対してのページング又はブロードキャストメッセージの送信の方式を確定するように構成されることを特徴とする
請求項７５又は７８〜８０のいずれか１項に記載の装置。
【請求項８２】
前記処理ユニットは、更に、
前記ネットワーク装置からの前記端末装置に対してのページング又はブロードキャストメッセージの送信の時間範囲内において、前記ネットワーク装置から同期信号ブロックが送信されていること、又は前記ネットワーク装置からの前記端末装置に対してのページング又はブロードキャストメッセージの送信の時間範囲内に、同期信号ブロックの候補送信時間位置があることを確定した場合、ページング又はブロードキャストメッセージ送信の方式を前記第１の方式として確定し、
前記ネットワーク装置からの前記端末装置に対してのページング又はブロードキャストメッセージの送信の時間範囲内において、前記ネットワーク装置から同期信号ブロックが送信されていないこと、又は前記ネットワーク装置からの前記端末装置に対してのページング又はブロードキャストメッセージの送信の時間範囲内に、同期信号ブロックの候補送信時間位置がないことを確定した場合、ページング又はブロードキャストメッセージ送信の方式を前記第２の方式として確定するように構成されることを特徴とする
請求項８１に記載の装置。
【請求項８３】
前記通信ユニットは、更に、
確定された方式が前記第１の方式である場合、前記特定の周波数点で前記ネットワーク装置が同期信号ブロックを実際に送信する時間長、時間位置における少なくとも一部のシンボル、サブ搬送波間隔及び時間位置の間隔のうちの少なくとも１つを、前記特定の周波数点で、前記ネットワーク装置が前記端末装置に対してページングを行い、又はブロードキャストメッセージを送信するのに用いる時間長、時間位置における少なくとも一部のシンボル、サブ搬送波間隔及び時間位置の間隔のうちの少なくとも１つ、として確定し、
確定された前記時間長、時間位置及び／又はサブ搬送波間隔に基づいて、前記特定の周波数点で、前記ネットワーク装置からの、前記端末装置に対してのページング又はブロードキャストメッセージの送信をモニタリングするように構成されることを特徴とする
請求項７５、８１又は８２に記載の装置。
【請求項８４】
前記通信ユニットは、更に、
確定された前記方式が第２の方式である場合、前記特定の周波数点で、連続するＮ個の時間位置において、前記ネットワーク装置からの、前記端末装置に対してのページング又はブロードキャストメッセージの送信をモニタリングするように構成されることを特徴とする
請求項７１〜８２のいずれか１項に記載の装置。
【請求項８５】
前記Ｎ個の時間位置は、Ｑ個のタイムスロットを占有し、Ｎ個の時間位置の開始点は、前記Ｑ個のタイムスロット内の１番目のタイムスロットのＭ番目のシンボルであり、ここで、前記Ｑは１以上の整数であり、前記Ｍは１以上の整数であることを特徴とする
請求項８４に記載の装置。
【請求項８６】
前記通信ユニットは、更に、
確定された前記方式が第２の方式である場合、少なくとも２つの隣接する時間位置の間で連続しないＮ個の時間位置で、前記ネットワーク装置からの、前記端末装置に対してのページング又はブロードキャストメッセージの送信をモニタリングするように構成されることを特徴とする
請求項７１〜８２のいずれか１項に記載の装置。
【請求項８７】
前記Ｎ個の時間位置は、Ｔ個の時間位置を含むＲ個のタイムスロットを占有し、ここで、前記Ｒは１以上の整数であり、前記Ｔは１以上の整数であることを特徴とする
請求項８６に記載の装置。
【請求項８８】
前記各タイムスロットにおいて、前記Ｔ個の時間位置の開始点は、前記各タイムスロットのＳ番目のシンボルであり、ここで、前記Ｓは１以上の整数であることを特徴とする
請求項８７に記載の装置。
【請求項８９】
前記各タイムスロットにおいて、前記Ｔ個の時間位置の終了点は、前記各タイムスロットの後ろからＰ番目のシンボルであり、ここで、前記Ｐは１以上の整数であることを特徴とする
請求項８７に記載の装置。
【請求項９０】
前記Ｔが１より大きい場合、前記Ｔ個の時間位置のいずれか２つの時間位置は連続しないことを特徴とする
請求項８７〜８９のいずれか１項に記載の装置。
【請求項９１】
前記Ｔが１より大きい場合、前記Ｔ個の時間位置に少なくとも２つの連続する時間位置が存在することを特徴とする
請求項８７〜８９のいずれか１項に記載の装置。
【請求項９２】
同一のタイムスロット内において、前記少なくとも２つの連続する時間位置と、隣接する前記少なくとも２つの連続する時間位置との間に、少なくとも１つのシンボルの間隔が取られていることを特徴とする
請求項９１に記載の装置。
【発明の詳細な説明】
【技術分野】
【０００１】
本発明は通信分野に関し、より具体的には、無線通信方法及び装置に関する。
【背景技術】
【０００２】
ロングタームエボリューション（Ｌｏｎｇ  Ｔｅｒｍ  Ｅｖｏｌｕｔｉｏｎ：ＬＴＥと略称）システムでは、ネットワーク装置及び端末装置は、ページング周期内において、ネットワーク装置が端末装置に対してページングするページング機会を確定することができる。
【０００３】
将来の新無線（Ｎｅｗ  Ｒａｄｉｏ：ＮＲと略称）システムでは、通信柔軟性への要求が高くなっている。
【０００４】
如何に、ページング又は他のメッセージの送信において、柔軟性を改善するかは、緊急に解決すべき問題となっている。
【発明の概要】
【０００５】
本願の実施例は、ページング又はブロードキャストメッセージの送信において柔軟性を改善し得るための無線通信方法及び装置を提供する。
【０００６】
第１の態様は、
ネットワーク装置が、端末装置に対してのページング、又はブロードキャストメッセージの送信の方式を確定することであって、確定された前記方式が第１の方式と第２の方式のいずれかであり、前記第１の方式において、特定の周波数点でのページング又はブロードキャストメッセージの送信が、第１のパラメータセットを使用し、前記第２の方式において、特定の周波数点でのページング又はブロードキャストメッセージの送信が、第２のパラメータセットを使用することと、
前記ネットワーク装置が、確定された前記方式に応じて、特定の周波数点で、前記端末装置に対してページングを行い、又は前記ブロードキャストメッセージを送信することと、を含む、無線通信方法を提供する。
【０００７】
従って、本願の実施例に、第１のパラメータセットに対応する第１の方式及び第２のパラメータセットに対応する第２の方式が存在し、ネットワーク装置によるページング又はブロードキャストメッセージの送信に使用でき、ネットワーク装置が端末装置に対してページングを行い、又はブロードキャストメッセージを送信する柔軟性を改善し得る。
【０００８】
第１の態様によれば、第１の態様の一可能な実施形態において、前記ネットワーク装置が端末装置に対してのページング、又はブロードキャストメッセージの送信の方式を確定する前に、前記方法は、
前記ネットワーク装置が、前記端末装置に対してページングを行うページング機会を確定することを更に含み、
ネットワーク装置が端末装置に対してのページング、又はブロードキャストメッセージの送信の方式を確定することは、前記ネットワーク装置が、前記ページング機会で前記端末装置に対してページングを行う方式を確定することを含む。
【０００９】
第１の態様又は上記任意の可能な実施形態によれば、第１の態様の別の可能な実施形態において、前記第１のパラメータセットと前記第２のパラメータセットのそれぞれが、ページング又は前記ブロードキャストメッセージの送信が占用する必要がある時間位置、時間長、サブ搬送波間隔、及び時間位置の間の間隔のうちの少なくとも１つを含む。
【００１０】
第１の態様又は上記任意の可能な実施形態によれば、第１の態様の別の可能な実施形態において、前記ネットワーク装置が前記端末装置に対してページングを行う又は前記ブロードキャストメッセージを送信することは、前記時間位置で、ページングのためのＰＤＣＣＨ及び／又はＰＤＳＣＨを送信することを含む。
【００１１】
第１の態様又は上記任意の可能な実施形態によれば、第１の態様の別の可能な実施形態において、各時間位置は１つのビームスキャンに対応する。
【００１２】
第１の態様又は上記任意の可能な実施形態によれば、第１の態様の別の可能な実施形態において、前記第１のパラメータセットは、同期信号ブロックを実際に送信するのに用いられるパラメータセットを参照したものであり、前記第２のパラメータセットは、同期信号ブロックを実際に送信するのに用いられるパラメータセットを参照していないものである。
【００１３】
第１の態様又は上記任意の可能な実施形態によれば、第１の態様の別の可能な実施形態において、前記方法は、
前記ネットワーク装置は、第１の情報を前記端末装置に送信することを更に含み、前記第１の情報が、ページング又はブロードキャストメッセージ送信の方式を通知する、又は前記第１のパラメータセット及び／又は前記第２のパラメータセットを通知するために用いられる。
【００１４】
第１の態様又は上記任意の可能な実施形態によれば、第１の態様の別の可能な実施形態において、前記第１の情報は、残存最小システム情報（ＲＭＳＩ）、他のシステム情報（ＯＳＩ）、オンデマンドシステム情報又は無線リソース制御（ＲＲＣ）メッセージにより搬送される。
【００１５】
第１の態様又は上記任意の可能な実施形態によれば、第１の態様の別の可能な実施形態において、前記ネットワーク装置が端末装置に対してのページング、又はブロードキャストメッセージの送信の方式を確定することは、
前記ネットワーク装置が、現在、ページングするページング機会又は前記ブロードキャストメッセージを送信する時間帯に応じて、前記端末装置に対してのページング、又はブロードキャストメッセージの送信の方式を確定することを含む。
【００１６】
第１の態様又は上記任意の可能な実施形態によれば、第１の態様の別の可能な実施形態において、前記方法は、
前記ネットワーク装置が、第２の情報を前記端末装置に送信することをさらに含み、前記第２の情報が、ページング又は前記ブロードキャストメッセージの送信の方式と時間帯との関連関係を通知するために用いられる。
【００１７】
第１の態様又は上記任意の可能な実施形態によれば、第１の態様の別の可能な実施形態において、前記第２の情報は、残存最小システム情報（ＲＭＳＩ）、他のシステム情報（ＯＳＩ）、オンデマンドシステム情報又は無線リソース制御（ＲＲＣ）メッセージにより搬送される。
【００１８】
第１の態様又は上記任意の可能な実施形態によれば、第１の態様の別の可能な実施形態において、前記ネットワーク装置が端末装置に対してのページング、又はブロードキャストメッセージの送信の方式を確定することは、
ページング又はブロードキャストメッセージ送信の時間範囲内において、同期信号ブロックを送信しているか否か、又はページング又はブロードキャストメッセージ送信の時間範囲内に、同期信号ブロックの候補送信時間位置があるか否かに基づいて、ページング又はブロードキャストメッセージ送信の方式を確定することを含む。
【００１９】
第１の態様又は上記任意の可能な実施形態によれば、第１の態様の別の可能な実施形態において、ページング又はブロードキャストメッセージ送信の時間範囲内において、同期信号ブロックを送信しているか否か、又はページング又はブロードキャストメッセージ送信の時間範囲内に、同期信号ブロックの候補送信時間位置があるか否かに基づいて、ページング又はブロードキャストメッセージ送信の方式を確定することは、
ページング又はブロードキャストメッセージ送信の時間範囲内において、同期信号ブロックを送信している、又はページング又はブロードキャストメッセージ送信の時間範囲内に、同期信号ブロックの候補送信時間位置がある場合、ページング又はブロードキャストメッセージ送信の方式を前記第１の方式として確定することと、
ページング又はブロードキャストメッセージ送信の時間範囲内において、同期信号ブロックを送信していない、又はページング又はブロードキャストメッセージ送信の時間範囲内に、同期信号ブロックの候補送信時間位置がない場合、ページング又はブロードキャストメッセージ送信の方式を前記第２の方式として確定することと、を含む。
【００２０】
第１の態様又は上記任意の可能な実施形態によれば、第１の態様の別の可能な実施形態において、前記ネットワーク装置が、確定された前記方式に応じて、前記特定の周波数点で、前記端末装置に対してページングを行い、又はブロードキャストメッセージを送信することは、
確定された方式が前記第１の方式である場合、前記特定の周波数点で同期信号ブロックを実際に送信する時間長、時間位置における少なくとも一部のシンボル、サブ搬送波間隔及び時間位置の間の間隔のうちの少なくとも１つを、前記特定の周波数点でのページング又はブロードキャストメッセージの送信が必要とする時間長、時間位置における少なくとも一部のシンボル、サブ搬送波間隔及び時間位置の間の間隔のうちの少なくとも１つ、として確定することと、
確定された前記時間長、時間位置、サブ搬送波間隔及び時間位置の間の間隔のうちの少なくとも１つに基づいて、前記特定の周波数点で、前記端末装置に対してページングを行い、又はブロードキャストメッセージを送信することと、を含む。
【００２１】
第１の態様又は上記任意の可能な実施形態によれば、第１の態様の別の可能な実施形態において、確定された前記時間長及び／又は位置に基づいて、前記特定の周波数点で、前記端末装置に対してページングを行い、又はブロードキャストメッセージを送信することは、
前記特定の周波数点で、同期信号ブロックの送信と同じビームパラメータ設定を用いて、前記端末装置に対してページングを行い、又はブロードキャストメッセージを送信することを含む。
【００２２】
第１の態様又は上記任意の可能な実施形態によれば、第１の態様の別の可能な実施形態において、前記ネットワーク装置が、確定された前記方式に応じて、前記端末装置に対してページングを行い、又はブロードキャストメッセージを送信することは、
確定された前記方式が第２の方式である場合、前記特定の周波数点で、連続するＮ個の時間位置において、前記端末装置に対してページングを行い、又はブロードキャストメッセージを送信することを含む。
【００２３】
第１の態様又は上記任意の可能な実施形態によれば、第１の態様の別の可能な実施形態において、前記Ｎ個の時間位置は、Ｑ個のタイムスロットを占有し、Ｎ個の時間位置の開始点は、前記Ｑ個のタイムスロット内の１番目のタイムスロットのＭ番目のシンボルであり、ここで、前記Ｑは１以上の整数であり、前記Ｍは１以上の整数である。
【００２４】
第１の態様又は上記任意の可能な実施形態によれば、第１の態様の別の可能な実施形態において、前記ネットワーク装置が、確定された前記方式に応じて、前記端末装置に対してページングを行い、又はブロードキャストメッセージを送信することは、
確定された前記方式が第２の方式である場合、少なくとも２つの隣接する時間位置の間で連続しないＮ個の時間位置において、前記端末装置に対してページングを行い、又はブロードキャストメッセージを送信することを含む。
【００２５】
第１の態様又は上記任意の可能な実施形態によれば、第１の態様の別の可能な実施形態において、前記Ｎ個の時間位置は、Ｔ個の時間位置を含むＲ個のタイムスロットを占有し、ここで、前記Ｒは１以上の整数であり、前記Ｔは１以上の整数である。
【００２６】
第１の態様又は上記任意の可能な実施形態によれば、第１の態様の別の可能な実施形態において、前記各タイムスロットにおいて、前記Ｔ個の時間位置の開始点は、前記各タイムスロットのＳ番目のシンボルであり、ここで、前記Ｓは１以上の整数である。
【００２７】
第１の態様又は上記任意の可能な実施形態によれば、第１の態様の別の可能な実施形態において、前記各タイムスロットにおいて、前記Ｔ個の時間位置の終了点は、前記各タイムスロットの後ろからＰ番目のシンボルであり、ここで、前記Ｐは１以上の整数である。
【００２８】
第１の態様又は上記任意の可能な実施形態によれば、第１の態様の別の可能な実施形態において、前記Ｔが１より大きい場合、前記Ｔ個の時間位置のいずれか２つの時間位置は連続しない。
【００２９】
第１の態様又は上記任意の可能な実施形態によれば、第１の態様の別の可能な実施形態において、前記Ｔが１より大きい場合、前記Ｔ個の時間位置に少なくとも２つの連続する時間位置が存在する。
【００３０】
第１の態様又は上記任意の可能な実施形態によれば、第１の態様の別の可能な実施形態において、同一のタイムスロット内において、前記少なくとも２つの連続する時間位置と、隣接する前記少なくとも２つの連続する時間位置との間に、少なくとも１つのシンボルの間隔が取られている。
【００３１】
第２の態様は、
端末装置は、ネットワーク装置からの前記端末装置に対してのページング又はブロードキャストメッセージの送信の方式を確定することであって、確定された前記方式が第１の方式と第２の方式のいずれかであり、前記第１の方式において、特定の周波数点でのページング又はブロードキャストメッセージの送信が、第１のパラメータセットを使用し、前記第２の方式において、特定の周波数点でのページング又はブロードキャストメッセージの送信が、第２のパラメータセットを使用することと、
前記端末装置は、確定された前記方式に応じて、特定の周波数点で、前記ネットワーク装置からの、前記端末装置に対してのページング又はブロードキャストメッセージの送信をモニタリングすることと、を含む、無線通信方法を提供する。
【００３２】
従って、本願の実施例に、第１のパラメータセットに対応する第１の方式及び第２のパラメータセットに対応する第２の方式が存在し、ネットワーク装置によるページング又はブロードキャストメッセージの送信に使用でき、ネットワーク装置が端末装置に対してページングを行い、又はブロードキャストメッセージを送信する柔軟性を改善し得る。
【００３３】
第２の態様によれば、第２の態様の一可能な実施形態において、前記端末装置が、ネットワーク装置からの前記端末装置に対してのページング又はブロードキャストメッセージの送信の方式を確定する前に、前記方法は、
前記端末装置が、前記ネットワーク装置からの前記端末装置に対してのページング機会を確定することを更に含み、
前記端末装置が、ネットワーク装置からの前記端末装置に対してのページング又はブロードキャストメッセージの送信の方式を確定することは、前記端末装置が、前記ページング機会内で前記ネットワーク装置が前記端末装置に対してページングを行う方式を確定することを含む。
【００３４】
第２の態様又は上記任意の可能な実施形態によれば、第２の態様の別の可能な実施形態において、前記第１のパラメータセットと前記第２のパラメータセットのそれぞれが、ページング又はブロードキャストメッセージの送信が占用する必要がある時間位置、時間長、サブ搬送波間隔、及び時間位置の間の間隔のうちの少なくとも１つを含む。
【００３５】
第２の態様又は上記任意の可能な実施形態によれば、第２の態様の別の可能な実施形態において、前記端末装置が、前記ネットワーク装置からの、前記端末装置に対してのページング又はブロードキャストメッセージの送信をモニタリングすることは、
前記端末装置が、前記時間位置で、ページングのためのＰＤＣＣＨ及び／又はＰＤＳＣＨをモニタリングすることを含む。
【００３６】
第２の態様又は上記任意の可能な実施形態によれば、第２の態様の別の可能な実施形態において、前記第１のパラメータセットは、同期信号ブロックを実際に送信するのに用いられるパラメータセットを参照したものであり、前記第２のパラメータセットは、同期信号ブロックを実際に送信するのに用いられるパラメータセットを参照していないものである。
【００３７】
第２の態様又は上記任意の可能な実施形態によれば、第２の態様の別の可能な実施形態において、前記方法は、
前記端末装置は、前記端末装置により送信された第１の情報を受信することを更に含み、前記第１の情報が、ページング又はブロードキャストメッセージ送信の方式を通知する、又は前記第１のパラメータセット及び／又は前記第２のパラメータセットを通知するために用いられる。
【００３８】
第２の態様又は上記任意の可能な実施形態によれば、第２の態様の別の可能な実施形態において、前記第１の情報は、残存最小システム情報（ＲＭＳＩ）、他のシステム情報（ＯＳＩ）、オンデマンドシステム情報又は無線リソース制御（ＲＲＣ）メッセージにより搬送される。
【００３９】
第２の態様又は上記任意の可能な実施形態によれば、第２の態様の別の可能な実施形態において、前記端末装置が、ネットワーク装置からの前記端末装置に対してのページング又はブロードキャストメッセージの送信の方式を確定することは、
前記端末装置が、現在ページングするページング機会又はブロードキャストメッセージを送信する時間帯に応じて、前記ネットワーク装置からの前記端末装置に対してのページング又はブロードキャストメッセージの送信の方式を確定することを含む。
【００４０】
第２の態様又は上記任意の可能な実施形態によれば、第２の態様の別の可能な実施形態において、前記方法は、前記端末装置が、前記ネットワーク装置により送信された、ページング又はブロードキャストメッセージ送信の方式と時間帯との関連関係を通知する第２の情報を受信することを更に含み、又は、前記ネットワーク装置からの前記端末装置に対してのページング又はブロードキャストメッセージの送信の方式と時間帯との関連関係は、前記端末装置に予め設定される。
【００４１】
第２の態様又は上記任意の可能な実施形態によれば、第２の態様の別の可能な実施形態において、前記第２の情報は、残存最小システム情報（ＲＭＳＩ）、他のシステム情報（ＯＳＩ）、オンデマンドシステム情報又は無線リソース制御（ＲＲＣ）メッセージにより搬送される。
【００４２】
第２の態様又は上記任意の可能な実施形態によれば、第２の態様の別の可能な実施形態において、前記端末装置が、ネットワーク装置からの前記端末装置に対してのページング又はブロードキャストメッセージの送信の方式を確定することは、
前記端末装置が、前記ネットワーク装置からの前記端末装置に対してのページング又はブロードキャストメッセージの送信の時間範囲内において、同期信号ブロックが送信されているか否か又は前記ネットワーク装置からの前記端末装置に対してのページング又はブロードキャストメッセージの送信の時間範囲内に基づいて、前記ネットワーク装置からの前記端末装置に対してのページング又はブロードキャストメッセージの送信の方式を確定することを含む。
【００４３】
第２の態様又は上記任意の可能な実施形態によれば、第２の態様の別の可能な実施形態において、前記端末装置が、前記ネットワーク装置からの前記端末装置に対してのページング又はブロードキャストメッセージの送信の時間範囲内において、同期信号ブロックが送信されているか否か、又は前記ネットワーク装置からの前記端末装置に対してのページング又はブロードキャストメッセージの送信の時間範囲内に、同期信号ブロックの候補送信時間位置があるか否かに基づいて、前記ネットワーク装置からの前記端末装置に対してのページング又はブロードキャストメッセージの送信の方式を確定することは、
前記ネットワーク装置からの前記端末装置に対してのページング又はブロードキャストメッセージの送信の時間範囲内において、前記ネットワーク装置から同期信号ブロックが送信されていること、又は前記ネットワーク装置からの前記端末装置に対してのページング又はブロードキャストメッセージの送信の時間範囲内に、同期信号ブロックの候補送信時間位置があることを確定した場合、ページング又はブロードキャストメッセージ送信の方式を前記第１の方式として確定することと、
前記ネットワーク装置からの前記端末装置に対してのページング又はブロードキャストメッセージの送信の時間範囲内において、前記ネットワーク装置から同期信号ブロックが送信されていないこと、又は前記ネットワーク装置からの前記端末装置に対してのページング又はブロードキャストメッセージの送信の時間範囲内に、同期信号ブロックの候補送信時間位置がないことを確定した場合、ページング又はブロードキャストメッセージ送信の方式を前記第２の方式として確定することと、を含む。
【００４４】
第２の態様又は上記任意の可能な実施形態によれば、第２の態様の別の可能な実施形態において、前記端末装置が、確定された前記方式に応じて、前記特定の周波数点で、前記ネットワーク装置からの、前記端末装置に対してのページング又はブロードキャストメッセージの送信をモニタリングすることは、
確定された方式が前記第１の方式である場合、前記特定の周波数点で前記ネットワーク装置が同期信号ブロックを実際に送信する時間長、時間位置における少なくとも一部のシンボル、サブ搬送波間隔及び時間位置の間隔のうちの少なくとも１つを、前記特定の周波数点で、前記ネットワーク装置が前記端末装置に対してページングを行い、又はブロードキャストメッセージを送信するのに用いる時間長、時間位置における少なくとも一部のシンボル、サブ搬送波間隔及び時間位置の間隔のうちの少なくとも１つ、として確定することと、
前記端末装置が、確定された前記時間長、時間位置及び／又はサブ搬送波間隔に基づいて、前記特定の周波数点で、前記ネットワーク装置からの、前記端末装置に対してのページング又はブロードキャストメッセージの送信をモニタリングすることと、を含む。
【００４５】
第２の態様又は上記任意の可能な実施形態によれば、第２の態様の別の可能な実施形態において、前記端末装置が、確定された前記方式に応じて、前記特定の周波数点で、前記ネットワーク装置からの、前記端末装置に対してのページング又はブロードキャストメッセージの送信をモニタリングすることは、
確定された前記方式が第２の方式である場合、前記特定の周波数点で、連続するＮ個の時間位置において、前記ネットワーク装置からの、前記端末装置に対してのページング又はブロードキャストメッセージの送信をモニタリングすることを含む。
【００４６】
第２の態様又は上記任意の可能な実施形態によれば、第２の態様の別の可能な実施形態において、前記Ｎ個の時間位置は、Ｑ個のタイムスロットを占有し、Ｎ個の時間位置の開始点は、前記Ｑ個のタイムスロット内の１番目のタイムスロットのＭ番目のシンボルであり、ここで、前記Ｑは１以上の整数であり、前記Ｍは１以上の整数である。
【００４７】
第２の態様又は上記任意の可能な実施形態によれば、第２の態様の別の可能な実施形態において、前記端末装置が、確定された前記方式に応じて、前記特定の周波数点で、前記ネットワーク装置からの、前記端末装置に対してのページング又はブロードキャストメッセージの送信をモニタリングすることは、
前記端末装置が、確定された前記方式が第２の方式である場合、少なくとも２つの隣接する時間位置の間で連続しないＮ個の時間位置で、前記ネットワーク装置からの、前記端末装置に対してのページング又はブロードキャストメッセージの送信をモニタリングすることを含む。
【００４８】
第２の態様又は上記任意の可能な実施形態によれば、第２の態様の別の可能な実施形態において、前記Ｎ個の時間位置は、Ｔ個の時間位置を含むＲ個のタイムスロットを占有し、ここで、前記Ｒは１以上の整数であり、前記Ｔは１以上の整数である。
【００４９】
第２の態様又は上記任意の可能な実施形態によれば、第２の態様の別の可能な実施形態において、前記各タイムスロットにおいて、前記Ｔ個の時間位置の開始点は、前記各タイムスロットのＳ番目のシンボルであり、ここで、前記Ｓは１以上の整数である。
【００５０】
第２の態様又は上記任意の可能な実施形態によれば、第２の態様の別の可能な実施形態において、前記各タイムスロットにおいて、前記Ｔ個の時間位置の終了点は、前記各タイムスロットの後ろからＰ番目のシンボルであり、ここで、前記Ｐは１以上の整数である。
【００５１】
第２の態様又は上記任意の可能な実施形態によれば、第２の態様の別の可能な実施形態において、前記Ｔが１より大きい場合、前記Ｔ個の時間位置のいずれか２つの時間位置は連続しない。
【００５２】
第２の態様又は上記任意の可能な実施形態によれば、第２の態様の別の可能な実施形態において、前記Ｔが１より大きい場合、前記Ｔ個の時間位置に少なくとも２つの連続する時間位置が存在する。
【００５３】
第２の態様又は上記任意の可能な実施形態によれば、第２の態様の別の可能な実施形態において、前記少なくとも２つの連続する時間位置と、隣接する前記少なくとも２つの連続する時間位置との間に、少なくとも１つのシンボルの間隔が取られている。
【００５４】
第３の態様は、上記第１の態様又は第１の態様の任意の可能な実施形態における方法を実行するネットワーク装置を提供する。具体的には、前記ネットワーク装置は、上記第１の態様又は第１の態様の任意の可能な実施形態における方法を実行する機能モジュールを備える。
【００５５】
第４の態様は、上記第２の態様又は第２の態様の任意の可能な実施形態における方法を実行する端末装置を提供する。具体的には、前記端末装置は、上記第２の態様又は第２の態様の任意の可能な実施形態における方法を実行する機能モジュールを備える。
【００５６】
第５の態様は、プロセッサ、メモリ及び送受信機を備えるネットワーク装置を提供する。前記プロセッサ、前記メモリ及び前記送受信機は内部接続パスを介して通信し、制御及び／又はデータ信号を伝送することにより、前記ネットワーク装置は、上記第１の態様又は第１の態様の任意の可能な実施形態における方法を実行する。  
第６の態様は、プロセッサ、メモリ及び送受信機を備える端末装置を提供する。前記プロセッサ、前記メモリ及び前記送受信機は内部接続パスを介して通信し、制御及び／又はデータ信号を伝送することにより、前記端末装置は、上記第２の態様又は第２の態様の任意の可能な実施形態における方法を実行する。
【００５７】
第７の態様は、上記任意の方法又は任意の可能な実施形態を実行する命令を含むコンピュータプログラムが記憶されるコンピュータ読み取り可能な媒体を提供する。
【００５８】
第８の態様は、コンピュータで実行されると、コンピュータが上記任意の方法又は任意の可能な実施形態における方法を実行させる、命令を含むコンピュータプログラム製品を提供する。
【図面の簡単な説明】
【００５９】
【図１】は本願の実施例に係る無線通信システムの概略図である。
【図２】は本願の実施例に係る無線通信方法を示すフローチャートである。
【図３】は本願の実施例に係る同期信号ブロックのタイムスロット分布を示す図である。
【図４】は本願の実施例に係るタイムスロット内の同期信号ブロックの分布を示す図である。
【図５】は本願の実施例に係る同期信号ブロックの候補位置とページング又はブロードキャストメッセージの可能な位置との概略関係図である。
【図６】は本願の実施例に係る同期信号ブロックの実際の送信位置とページング又はブロードキャストメッセージの実際の占有位置との概略関係図である。
【図７】は本願の実施例に係る同期信号ブロックの実際の送信位置とページング又はブロードキャストメッセージの実際の占有位置との概略関係図である。
【図８】は本願の実施例に係るページング又はブロードキャストメッセージの送信に用いる未知の時間を示す概略図である。
【図９】は本願の実施例に係るネットワーク装置を示す概略ブロック図である。
【図１０】は本願の実施例に係る端末装置を示す概略ブロック図である。
【図１１】は本願の実施例に係るシステムチップを示す概略ブロック図である。
【図１２】は本願の実施例に係る通信装置を示す概略ブロック図である。
【発明を実施するための形態】
【００６０】
本願の実施例の技術案を一層明確に説明するために、以下、実施例又は従来技術の説明に使用する必要がある図面を簡単に説明し、無論、以下説明される図面は本願の実施例の一部に過ぎず、当業者にとって、進歩性のある労働を必要とすることなく、これらの図面に基づいて他の図面を得ることができる。
【００６１】
以下、本願の実施例の図面を参照しながら、本願の実施例の技術案を説明し、無論、説明される実施例は本願の実施例の一部であり、実施例のすべてではない。本願の実施例に基づき、当業者が進歩性のある労働を必要とせずに得られるすべての他の実施例は、いずれも本願の保護範囲に属する。
【００６２】
本願の実施例の技術案は、移動体通信用グローバル（Ｇｌｏｂａｌ  Ｓｙｓｔｅｍ  ｏｆ  Ｍｏｂｉｌｅ  ｃｏｍｍｕｎｉｃａｔｉｏｎ：「ＧＳＭ」と略称）システム、符号分割多元接続（Ｃｏｄｅ  Ｄｉｖｉｓｉｏｎ  Ｍｕｌｔｉｐｌｅ  Ａｃｃｅｓｓ：「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、ロングタームエボリューション（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ：「ＴＤＤ」と略称）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）、マイクロ波アクセスのための世界的相互運用性（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：「ＷｉＭＡＸ」と略称）通信システム又は将来の５Ｇシステムなどの様々な通信システムに適用され得る。
【００６３】
図１は本願の実施例に適用される無線通信システム１００を示す。該無線通信システム１００は、ネットワーク装置１１０を備えている。ネットワーク装置１００は端末装置と通信を行う装置であってもよい。ネットワーク装置１００は、特定の地理的エリアに通信カバレッジを提供でき、該カバレッジエリア内に位置する端末装置（例えばＵＥ）と通信を行うことを可能にする。任意選択で、該ネットワーク装置１００は、ＧＳＭシステム又はＣＤＭＡシステムにおける基地局（Ｂａｓｅ  Ｔｒａｎｓｃｅｉｖｅｒ  Ｓｔａｔｉｏｎ：ＢＴＳと略称）であってもよく、ＷＣＤＭＡシステムにおける基地局（ＮｏｄｅＢ：ＮＢと略称）であってもよく、さらにＬＴＥシステムにおける進化型基地局（Ｅｖｏｌｕｔｉｏｎａｌ  Ｎｏｄｅ  Ｂ：ｅＮＢ又はｅＮｏｄｅＢと略称）であってもよく、又はクラウド無線アクセスネットワーク（Ｃｌｏｕｄ  Ｒａｄｉｏ  Ａｃｃｅｓｓ  Ｎｅｔｗｏｒｋ：ＣＲＡＮと略称）における無線コントローラであってもよく、又は、該ネットワーク装置は、中継局、アクセスポイント、車載装置、ウェアラブル装置、将来の５Ｇネットワークにおけるネットワーク側装置又は将来進化された公衆地上移動体ネットワーク（Ｐｕｂｌｉｃ  Ｌａｎｄ  Ｍｏｂｉｌｅ  Ｎｅｔｗｏｒｋ：ＰＬＭＮと略称）におけるネットワーク装置などであってもよい。
【００６４】
該無線通信システム１００は、ネットワーク装置１１０のカバレッジエリア内に位置する少なくとも１つの端末装置１２０を更に備えている。端末装置１２０は可動又は固定式である。任意選択で、端末装置１２０は、アクセス端末、ユーザ装置（Ｕｓｅｒ  Ｅｑｕｉｐｍｅｎｔ：ＵＥと略称）、ユーザユニット、ユーザ局、移動局、移動台、遠隔局、遠隔端末、移動体装置、ユーザ端末、端末、無線通信装置、ユーザエージェント又はユーザデバイスを指してもよい。アクセス端末は、セルラー電話、コードレス電話、セッション開始プロトコル（Ｓｅｓｓｉｏｎ  Ｉｎｉｔｉａｔｉｏｎ  Ｐｒｏｔｏｃｏｌ：ＳＩＰと略称）電話、無線ローカルループ（Ｗｉｒｅｌｅｓｓ  Ｌｏｃａｌ  Ｌｏｏｐ：ＷＬＬと略称）局、パーソナルデジタルアシスタント（Ｐｅｒｓｏｎａｌ  Ｄｉｇｉｔａｌ  Ａｓｓｉｓｔａｎｔ：ＰＤＡと略称）、無線通信機能を有するハンドヘルド装置、コンピューティング装置又は無線モデムに接続された他の処理装置、車載装置、ウェアラブル装置、将来の５Ｇネットワークにおける端末装置又は将来進化されたＰＬＭＮにおける端末装置などであってもよい。
【００６５】
任意選択で、端末装置１２０の間は、デバイスツーデバイス（Ｄｅｖｉｃｅ  ｔｏ  Ｄｅｖｉｃｅ：Ｄ２Ｄと略称）通信を行うことができる。
【００６６】
任意選択で、５Ｇシステム又はネットワークはさらに新無線（Ｎｅｗ  Ｒａｄｉｏ：ＮＲと略称）システム又はネットワークとして呼ばれてもよい。
【００６７】
図１は１つのネットワーク装置及び２つの端末装置を例示的に示し、任意選択で、該無線通信システム１００は、複数のネットワーク装置を備え、ネットワーク装置毎のカバレッジエリア内に他の数の端末装置が含まれるが、本願の実施例はこれに限定されない。
【００６８】
任意選択で、該無線通信システム１００は、ネットワークコントローラ、移動管理エンティティなどの他のネットワークエンティティを更に備えており、本願の実施例はこれに限定されない。
【００６９】
本明細書における用語「システム」及び「ネットワーク」は本明細書で交換可能に使用される場合が多い。本明細書における用語「及び／又は」は、単に関連オブジェクトを説明するための関連関係であり、３種の関係が存在していることが示され、例えば、Ａ及び／又はＢは、単独にＡが存在し、同時にＡとＢが存在し、単独にＢが存在するという３種の場合を示すことができる。また、本明細書におけるキャラクター「／」は、一般的に前後関連オブジェクトが「又は」の関係であることを示すことを理解すべきである。
【００７０】
図２は本願の実施例に係る無線通信方法２００を示すフローチャートである。該方法２００は、好ましくは図１に示されるシステムに適用され得るが、これに限定されない。該方法２００は、以下の内容のうちの少なくとも一部を含む。
【００７１】
２１０において、ネットワーク装置が、端末装置に対してのページング、又はブロードキャストメッセージの送信の方式を確定し、確定された該方式が、第１の方式と第２の方式のいずれかであり、前記第１の方式において、特定の周波数点でのページング又はブロードキャストメッセージの送信が、第１のパラメータセットを使用し、前記第２の方式において、特定の周波数点でのページング又はブロードキャストメッセージの送信が、第２のパラメータセットを使用する。
【００７２】
具体的には、ネットワーク装置は、第１の方式及び第２の方式から、端末装置に対してページングする、又はブロードキャストメッセージを送信するための方式を選択し、ページング又はブロードキャストメッセージ送信の方式を選択するのは、端末装置に対してページングを行い、又はブロードキャストメッセージを送信するのに用いられるパラメータセットを確定する目的としており、ネットワーク装置は、選択された方式に対応するパラメータセットに基づいて、端末装置に対してページングを行い、又はブロードキャストメッセージを送信する。
【００７３】
任意選択で、第１の方式に対応する第１のパラメータセット及び第２の方式に対応する第２のパラメータセットに含まれるパラメータのタイプは同じであってもよいが、少なくとも１つのタイプのパラメータの値が異なる。具体的には、時間位置、時間長、サブ搬送波間隔及び時間位置の間の間隔のうちの少なくとも１つの値が異なってもよい。
【００７４】
例えば、第１のパラメータセットに対応する時間位置の長さは、第２のパラメータセットに対応する時間位置の長さとは異なり、第１のパラメータセットに対応する時間位置の長さは４シンボルであり、第２のパラメータセットに対応する時間位置の長さは２シンボルである。
【００７５】
例えば、第１のパラメータセットに対応する時間位置の数は第２のパラメータセットに対応する時間位置の数とは異なり、第１のパラメータセットに対応する時間位置の数は２つであり、第２のパラメータセットに対応する時間位置の数は４つである。
【００７６】
例えば、第１のパラメータセットに対応するサブ搬送波間隔は、第２のパラメータセットに対応するサブ搬送波間隔とは異なり、第１のパラメータセットに対応するサブ搬送波間隔は３０ＫＨＺであり、第２のパラメータセットに対応するサブ搬送波間隔は１５ＫＨＺである。
【００７７】
又は、第１の方式に対応する第１のパラメータセット及び第２の方式に対応する第２のパラメータセットに含まれるパラメータのタイプは同じであってもよく、パラメータの値も同じであるようにしてもよい。
【００７８】
任意選択で、該第１のパラメータセットと該第２のパラメータセットのそれぞれが、ページング又はブロードキャストメッセージの送信が占用する必要がある時間位置、時間長、サブ搬送波間隔、及び時間位置の間の間隔のうちの少なくとも１つを含む。
【００７９】
任意選択で、本願の実施例に記載されている時間位置は、少なくとも１つのシンボルを含んでもよいが、複数のシンボルが含まれる場合、該複数のシンボルは連続するものであってもよい。
【００８０】
任意選択で、各時間位置は１つのビームスキャンに対応し、一度のページング又はブロードキャストメッセージの送信において、異なる時間位置は、異なるビームに対応することができる。
【００８１】
任意選択で、ネットワーク装置が端末装置に対してページングを行うことは、対応する時間位置で、ページングのための物理下りリンク制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨと略称）及び／又は物理下りリンク共有チャネル（Ｐｈｙｓｉｃａｌ  Ｄｏｗｎｌｉｎｋ  Ｓｈａｒｅｄ  Ｃｈａｎｎｅｌ：ＰＤＳＣＨと略称）を送信することを指してもよい。
【００８２】
任意選択で、本願の実施例に記載されているブロードキャストメッセージは、ＲＭＳＩ、ＯＳＩ又はオンデマンドシステム情報（Ｏｎ−ｄｅｍａｎｄｓ  ｓｙｓｔｅｍ  ｉｎｆｏｒｍａｔｉｏｎ）を搬送するためのものを指している。
【００８３】
任意選択で、ページングするときに、本願の実施例に記載されている１つの時間位置は、周波数分割多重化されたＰＤＳＣＨ及びＰＤＣＣＨを搬送するために用いられてもよく、又は、１つの時間位置における異なるシンボルのそれぞれは、ＰＤＳＣＨ及びＰＤＣＣＨを搬送するために用いられてもよく、又は、１つの時間位置は、ＰＤＣＣＨ又はＰＤＳＣＨを搬送するだけに用いられてもよく、又は、ＰＤＳＣＨは、１つの時間位置の複数のシンボルを占有し、ＰＤＣＣＨは、該複数のシンボルの少なくとも一部において、ＰＤＳＣＨと周波数分割多重化される。
【００８４】
任意選択で、本願の実施例に記載されている時間長は、シンボルの数で表すことができ、本願で説明される時間長は、１つのビームスキャンの占有する時間長であってもよく、又は、１回の完全なビームスキャン（複数のビームを含む）の占有する時間長であってもよい。
【００８５】
任意選択で、本願の実施例に記載されている時間位置の間の間隔は、２つの時間位置における中央シンボルの間隔であってもよく、又は２つの時間位置における１番目のシンボルの間隔、２つの時間位置における最後のシンボル間の間隔であってもよく、又は、前の時間位置における最後のシンボルと次の時間位置における１番目のシンボルとの間の間隔であってもよい。
【００８６】
任意選択で、１つの下りリンクビーム（又は、１つの時間位置）において、ページング又はブロードキャストメッセージ送信の時間長は、２、４、７シンボル、又は１つのタイムスロット（ｓｌｏｔ）に対応する時間長であってもよい。
【００８７】
任意選択で、第１のパラメータセット及び第２のパラメータセットは、それぞれ時間位置、時間長、サブ搬送波間隔及び時間位置の間隔のうちの少なくとも１つにおいて、異なる値を有することを可能である。
【００８８】
第１のパラメータセット及び第２のパラメータセットは、時間位置、時間長、サブ搬送波間隔及び時間位置の間隔のうちの少なくとも１つ以外の他のパラメータを更に含み、本願の実施例はこれに具体的に限定されないことを理解すべきである。
【００８９】
任意選択で、本願の実施例に記載されている特定の周波数点は、端末装置と通信を行う特定の周波数点であってもよい。
【００９０】
任意選択で、本願の実施例では、異なる周波数点に対して、第１のパラメータセット及び／又は第２のパラメータセットのパラメータ値は異なり得る。
【００９１】
任意選択で、該第１のパラメータセットは、同期信号ブロックを実際に送信するのに用いられるパラメータセットを参照したものである。
【００９２】
任意選択で、該第２のパラメータセットは、同期信号ブロックを実際に送信するのに用いられるパラメータセットを参照していないものである。
【００９３】
第２のパラメータセットは、同期信号ブロックを実際に送信するのに用いられるパラメータセットを参照していないものであるが、第２のパラメータセット及び第１のパラメータセットのパラメータ値が必ずしも異なる値ではない。第２のパラメータセットが同期信号ブロックを実際に送信するのに用いられるパラメータセットを参照していないのは、ネットワーク装置又は端末装置が第２のパラメータセットを取得する時に、又は第２のパラメータセットを予め設定する時に、同期信号ブロックの送信と言う要因を考慮しておらず、他の要因を考慮している可能性があり、偶々第１のパラメータセットのパラメータ値が第２のパラメータセットのパラメータ値と同じになっていることを理解すべきである。
【００９４】
理解の便宜上、以下、同期信号ブロックの送信を詳細に説明する。
【００９５】
同期信号ブロック（ｓｙｎｃｈｒｏｎｏｕｓ  Ｓｉｇｎａｌ  Ｂｌｏｃｋ：ＳＳ  Ｂｌｏｃｋ又はＳＳＢと略称）は、周期的送信を利用して、ＳＳ  Ｂｌｏｃｋ周期内で、特定の周波数点におけるＳＳバーストセット（ＳＳ  ｂｕｒｓｔ  ｓｅｔ）が５ｍｓの時間窓内に限定され、ＳＳ  Ｂｌｏｃｋの最大数がＬであり、ここで、
３ＧＨｚ以内の周波数領域範囲内に、Ｌ＝４、
３ＧＨｚ〜６ＧＨｚの周波数領域範囲内に、Ｌ＝８、
６ＧＨｚ〜５２．６ＧＨｚの周波数領域範囲内に、Ｌ＝６４。
【００９６】
５ｍｓの時間窓内に、異なるサブ搬送波間隔及び異なる動作周波数帯域については、ＳＳ  Ｂｌｏｃｋのタイムスロット分布は図２に示される。
【００９７】
図３の第１行には、サブ搬送波間隔が１５ＫＨＺであり、Ｌ＝４である場合、ＳＳ  Ｂｌｏｃｋのタイムスロット分布が示される。図３の第２行には、サブ搬送波間隔が１５ＫＨＺであり、Ｌ＝８である場合、ＳＳ  Ｂｌｏｃｋのタイムスロット分布が示される。図３の第３行には、サブ搬送波間隔が３０ＫＨＺであり、Ｌ＝４である場合、ＳＳ  Ｂｌｏｃｋのタイムスロット分布が示される。図３の第４行には、サブ搬送波間隔が３０ＫＨＺであり、Ｌ＝８である場合、ＳＳ  Ｂｌｏｃｋのタイムスロット分布が示される。図３の第５行には、サブ搬送波間隔が２４０ＫＨＺであり、Ｌ＝６４である場合、ＳＳ  Ｂｌｏｃｋのタイムスロット分布が示される。
【００９８】
図４は１５ＫＨＺ、３０ＫＨＺ、１２０ＫＨＺ及び２４０ＫＺでの１つのタイムスロット内のパターン分布を示している。
【００９９】
図４に示すように、１５ＫＨＺ及び３０ＫＺＨの場合、１４個のシンボルの開始位置で、下りリンク制御のための少なくとも１つ又は２つのシンボルが予約されており、末尾の位置で、間隔保護又は上りリンク制御などのための少なくとも２つのシンボルが予約されている。
【０１００】
１２０ＫＨＺの場合、１４個のシンボルの開始位置で、下りリンク制御のための少なくとも２つのシンボルが予約されており、末尾の位置で、間隔保護又は上りリンク制御などのための少なくとも２つのシンボルが予約されている。
【０１０１】
２４０ＫＨＺの場合、２つの連続するタイムスロットを跨ぎ、第１のタイムスロットの開始位置で、下りリンク制御のための少なくとも４つのシンボルが予約されており、第２のタイムスロットの末尾の位置で、間隔保護又は上りリンク制御などのための少なくとも４つのシンボルが予約されている。
【０１０２】
任意選択で、該ネットワーク装置が端末装置に対してページングを行う方式を確定する前に、該ネットワーク装置は該端末装置に対してページングを行うページング機会を確定し、該ネットワーク装置は該ページング機会で該端末装置に対してページングを行う方式を確定する。
【０１０３】
任意選択で、本願の実施例に記載されているページング機会は、ＰＤＳＣＨ及び／又はＰＤＣＣＨを送信するためのものであってもよい。
【０１０４】
ここで、ページング機会がＰＤＳＣＨとＰＤＣＣＨを送信するためのものである場合、ＰＤＳＣＨはＰＤＣＣＨと同じ時間位置（同じシンボルを占有する）で送信され、このとき、ＰＤＳＣＨ及びＰＤＣＣＨは周波数分割多重化される。
【０１０５】
又は、ページング機会がＰＤＳＣＨ及びＰＤＣＣＨを送信するためのものである場合、ＰＤＳＣＨはＰＤＣＣＨと異なる時間位置で送信され得る。例えば、複数のビームを介してＰＤＣＣＨをまず送信してから、次に複数のビームを介してＰＤＳＣＨを送信することができる。例えば、同じ又は異なるビームを介して、異なるシンボルでそれぞれＰＤＣＣＨ又はＰＤＳＣＨを１回送信してから、同じ又は異なるビームを利用して、他の異なるシンボルで、それぞれＰＤＣＣＨ及びＰＤＳＣＨを１回送信しすることができ、このように類推する。
【０１０６】
任意選択で、端末装置がページングをモニタリングする時に、端末装置は、そのページング周期内の特定のフレーム（ＰＦと呼ぶ）の特定のサブフレーム（ＰＯと呼ぶ）で、ページングメッセージの受信を試すことができる。ページング機会（Ｐａｇｉｎｇ  Ｏｃｃａｓｉｏｎ：ＰＯと略称）は１つのサブフレームであってもよく、該サブフレームでページング無線ネットワーク一時識別子（Ｐａｇｉｎｇ  ＲＮＴＩ  Ｒａｄｉｏ  Ｎｅｔｗｏｒｋ  Ｔｅｍｐｏｒｙ  Ｉｄｅｎｔｉｔｙ：Ｐ−ＲＮＴＩと略称）を用いてスクランブリングし、それによってＰａｇｉｎｇメッセージのＰＤＣＣＨを示す。間欠受信（Ｄｉｓｃｏｎｔｉｎｕｏｕｓ  ｒｅｃｅｐｔｉｏｎ：ＤＲＸと略称）を用いる場合、端末装置は、各ＤＲＸ周期（ｃｙｃｌｅ）で一つのＰＯだけを検出し、つまり、各端末装置に対して、各Ｐａｇｉｎｇ周期内に１つのみのサブフレームがＰａｇｉｎｇを送信する。ＤＲＸ  ｃｙｃｌｅは、Ｐａｇｉｎｇ周期と同じであってもよい。ページングフレーム（Ｐａｇｉｎｇ  Ｆｒａｍｅ：ＰＦと略称）は、１つ以上のＰＯを含む１つの無線フレームであってもよい。
【０１０７】
以上説明されるページング機会は単に本願の具体的な実施形態であり、本願を容易に理解するために、本願の範囲が特に限定されないことを理解すべきである。
【０１０８】
２２０において、該ネットワーク装置は、確定された該方式に応じて、該特定の周波数点で、該端末装置に対してページングを行い、又はブロードキャストメッセージを送信する。
【０１０９】
２３０において、端末装置は、ネットワーク装置からの該端末装置に対してのページング、又はブロードキャストメッセージの送信の方式を確定し、確定された該方式は、第１の方式及び第２の方式のいずれかである。
【０１１０】
任意選択で、該端末装置は、該ネットワーク装置が該端末装置に対してページングを行うページング機会を確定し、該端末装置は、該ページング機会内で、該ネットワーク装置が該端末装置に対してページングを行う方式を確定する。
【０１１１】
２４０において、該端末装置は、確定された該方式に応じて、該特定の周波数点で、該ネットワーク装置からの該端末装置に対してのページング又はブロードキャストメッセージの送信をモニタリングする。
【０１１２】
任意選択で、該端末装置は、確定された方式に応じて、対応する時間位置で、ページングのためのＰＤＣＣＨ及び／又はＰＤＳＣＨをモニタリングする。
【０１１３】
任意選択で、該ネットワーク装置は、第１の情報を該端末装置に送信し、該第１の情報が、ページング又はブロードキャストメッセージ送信の方式を通知し、又は該第１のパラメータセット及び／又は該第２のパラメータセットを通知するために用いられる。
【０１１４】
それに対応し、端末装置は、ネットワーク装置により送信された第１の情報を受信し、該第１の情報基づいて、端末装置は、ネットワーク装置の端末装置に対してのページング、又はブロードキャストメッセージの送信の方式を取得し、又は該第１のパラメータセット及び／又は第２のパラメータセットを取得することができる。
【０１１５】
任意選択で、該第１の情報は、残存最小システム情報（Ｒｅｍａｉｎｉｎｇ  Ｍｉｎｉｍｕｍ  Ｓｙｓｔｅｍ  Ｉｎｆｏｒｍａｔｉｏｎ：ＲＭＳＩと略称）、他のシステム情報（Ｏｔｈｅｒ  Ｓｙｓｔｅｍ  Ｉｎｆｏｒｍａｔｉｏｎ：ＯＳＩと略称）、オンデマンドシステム情報又は無線リソース制御（Ｒａｄｉｏ  Ｒｅｓｏｕｒｃｅ  Ｃｏｎｔｒｏｌ：ＲＲＣと略称）メッセージにより搬送される。
【０１１６】
例えば、ページングに用いる場合、第１の情報は、残存最小システム情報（Ｒｅｍａｉｎｉｎｇ  Ｍｉｎｉｍｕｍ  Ｓｙｓｔｅｍ  Ｉｎｆｏｒｍａｔｉｏｎ：ＲＭＳＩと略称）、他のシステム情報（Ｏｔｈｅｒ  Ｓｙｓｔｅｍ  Ｉｎｆｏｒｍａｔｉｏｎ：ＯＳＩと略称）、オンデマンドシステム情報又は無線リソース制御（Ｒａｄｉｏ  Ｒｅｓｏｕｒｃｅ  Ｃｏｎｔｒｏｌ：ＲＲＣと略称）メッセージに搬送されてもよい。
【０１１７】
ブロードキャストメッセージの送信に用いる場合、第１の情報は、残存最小システム情報（Ｒｅｍａｉｎｉｎｇ  Ｍｉｎｉｍｕｍ  Ｓｙｓｔｅｍ  Ｉｎｆｏｒｍａｔｉｏｎ：ＲＭＳＩと略称）、他のシステム情報（Ｏｔｈｅｒ  Ｓｙｓｔｅｍ  Ｉｎｆｏｒｍａｔｉｏｎ：ＯＳＩと略称）、オンデマンドシステム情報に搬送されてもよい。
【０１１８】
任意選択で、該ネットワーク装置は、現在ページングするページング機会又はブロードキャストメッセージを送信する時間帯に応じて、該端末装置に対してのページング、又はブロードキャストメッセージの送信の方式を確定する。それに対応し、端末装置は、現在ネットワーク装置が端末装置に対してページングを行い、又はブロードキャストメッセージを送信する時間帯に応じて、ネットワーク装置からの該端末装置に対してのページング、又はブロードキャストメッセージの送信の方式を確定することもできる。
【０１１９】
具体的には、ページング又はブロードキャストメッセージ送信の方式は、ページング機会、又はブロードキャストメッセージを送信する時間帯と関連がある可能性があり、例えば、第１の時間帯に第１の方式を用い、その後、第１の時間帯に隣接する第２の時間帯に第２の方式を用い、第３の時間帯に第１の方式を用いるなどが挙げられる。
【０１２０】
任意選択で、該ネットワーク装置は、ページング又はブロードキャストメッセージ送信の方式と時間帯との関連関係を通知する第２の情報を該端末装置に送信する。端末装置は、ネットワーク装置により送信された第２の情報に基づき、ネットワーク装置の端末装置に対してのページング又はブロードキャストメッセージの送信の方式と時間帯との関連関係を取得することができる。
【０１２１】
任意選択で、該第２の情報は、残存最小システム情報（ＲＭＳＩ）、他のシステム情報（ＯＳＩ）、オンデマンドシステム情報又は無線リソース制御（ＲＲＣ）メッセージにより搬送される。
【０１２２】
例えば、ページングに用いる場合、第２の情報は、残存最小システム情報（Ｒｅｍａｉｎｉｎｇ  Ｍｉｎｉｍｕｍ  Ｓｙｓｔｅｍ  Ｉｎｆｏｒｍａｔｉｏｎ：ＲＭＳＩと略称）、他のシステム情報（Ｏｔｈｅｒ  Ｓｙｓｔｅｍ  Ｉｎｆｏｒｍａｔｉｏｎ：ＯＳＩと略称）、オンデマンドシステム情報又は無線リソース制御（Ｒａｄｉｏ  Ｒｅｓｏｕｒｃｅ  Ｃｏｎｔｒｏｌ：ＲＲＣと略称）メッセージに搬送されてもよい。
【０１２３】
ブロードキャストメッセージの送信に用いる場合、第２の情報は、残存最小システム情報（Ｒｅｍａｉｎｉｎｇ  Ｍｉｎｉｍｕｍ  Ｓｙｓｔｅｍ  Ｉｎｆｏｒｍａｔｉｏｎ：ＲＭＳＩと略称）、他のシステム情報（Ｏｔｈｅｒ  Ｓｙｓｔｅｍ  Ｉｎｆｏｒｍａｔｉｏｎ：ＯＳＩと略称）、オンデマンドシステム情報に搬送されてもよい。
【０１２４】
任意選択で、ネットワーク装置の端末装置に対してのページング又はブロードキャストメッセージの送信の方式と時間帯との関連関係は、それぞれネットワーク装置及び端末装置に予め設定されてもよく、ネットワーク装置は、該関連関係を端末装置に通知する該第２の情報を送信する必要がない。
【０１２５】
任意選択で、ネットワーク装置又は端末装置は、ページング又はブロードキャストメッセージ送信の時間範囲内において、同期信号ブロックが送信されているか否か、又はページング又はブロードキャストメッセージ送信の時間範囲内に、同期信号ブロックの候補送信時間位置があるか否かに基づいて、ページング又はブロードキャストメッセージ送信の方式を確定することができる。
【０１２６】
ページング又はブロードキャストメッセージ送信の時間範囲内において、同期信号ブロックが送信されている、又はページング又はブロードキャストメッセージ送信の時間範囲内に、同期信号ブロックの候補送信時間位置がある場合、ページング又はブロードキャストメッセージ送信の方式を該第１の方式として確定し、ページング又はブロードキャストメッセージ送信の時間範囲内において、同期信号ブロックを送信していない、又はページング又はブロードキャストメッセージ送信の時間範囲内に、同期信号ブロックの候補送信時間位置がない場合、ページング又はブロードキャストメッセージ送信の方式を該第２の方式として確定する。
【０１２７】
端末装置は、ネットワーク装置が端末装置に対してページングを行い、又はブロードキャストメッセージを送信する時間範囲内において、ネットワーク装置が同期信号ブロックを送信しているか否かを確定し、同期信号ブロックを実際に検出するか否かに基づいて確定してもよく、ネットワーク装置の通知メッセージに基づいて確定してもよい。
【０１２８】
任意選択で、確定された方式が該第１の方式である場合、ネットワーク装置は、該特定の周波数点で同期信号ブロックを実際に送信する時間長、時間位置における少なくとも一部のシンボル、サブ搬送波間隔及び時間位置の間隔のうちの少なくとも１つを、該特定の周波数点でのページング又はブロードキャストメッセージの送信が必要とする時間長、時間位置における少なくとも一部のシンボル、サブ搬送波間隔及び時間位置のうちの少なくとも１つ、として確定し、確定された該時間長、時間位置、サブ搬送波間隔及び時間位置のうちの少なくとも１つに基づいて、該特定の周波数点で、該端末装置に対してページングを行い、又はブロードキャストメッセージを送信する。
【０１２９】
ネットワーク装置は、該特定の周波数点で、同期信号ブロックの送信と同じビームパラメータ設定を用いて、該端末装置に対してページングを行い、又はブロードキャストメッセージを送信することができる。
【０１３０】
ＳＳＢとページング又はブロードキャストメッセージとが、ビームを多重化する場合、余分のビームスキャン周期が必要がなくなり、多重化しない場合、独立した時間長、時間位置又はサブ搬送波間隔などを利用する。それによって、ページング又はブロードキャストメッセージの送信の負荷をより良好にマッチングさせる。
【０１３１】
当然、ネットワーク装置は、同期信号の送信と異なるビームパラメータ装置を用いて、端末装置に対してページングを行い、又はブロードキャストメッセージを送信することもできる。
【０１３２】
それに対応し、確定された方式が該第１の方式である場合、端末装置は、該特定の周波数点で該ネットワーク装置が同期信号ブロックを実際に送信する時間長、時間位置における少なくとも一部のシンボル、サブ搬送波間隔及び時間位置の間隔のうちの少なくとも１つを、該特定の周波数点で、該ネットワーク装置が該端末装置に対してページングを行い、又はブロードキャストメッセージを送信するのに用いる時間長、時間位置における少なくとも一部のシンボル、サブ搬送波間隔及び時間位置の間隔のうちの少なくとも１つとして確定し、該端末装置は、確定された該時間長、時間位置、サブ搬送波間隔及び／又は時間位置の間隔に基づいて、該特定の周波数点で、該ネットワーク装置からの該端末装置に対してのページング又はブロードキャストメッセージの送信をモニタリングする。
【０１３３】
以下、サブ搬送波間隔が１５ＫＨｚであり、Ｌ＝４である場合を例示して説明する。
【０１３４】
具体的には、ページング又はブロードキャストメッセージ送信の位置が、最大Ｌ＝４個のＳＳＢの候補位置を参照し、各候補位置に対応して、２シンボル、４シンボル又は７シンボルのｐａｇｉｎｇメッセージが占有する、あり得るシンボル位置は図５に示される。
【０１３５】
対応するＳＳＢが送信される場合、対応するｐａｇｉｎｇメッセージ又はブロードキャストメッセージも対応して送信される。さもなければ、特定の位置でのＳＳＢが実際に送信されていない場合、ｐａｇｉｎｇメッセージ又はブロードキャストメッセージも、該位置で送信されない。例えば、図６に示すように、第１及び第４位置でのＳＳＢが送信される場合、第１及び第４位置で端末に対してもページングを行い又はブロードキャストメッセージを送信する。
【０１３６】
任意選択で、同期信号ブロックの１つの実際の送信位置又は候補送信位置が占有するシンボルの数は、ブロードキャストメッセージ又はページングメッセージの１つの時間位置が占有するシンボルの数のＬ倍である場合、ブロードキャストメッセージ又はページングメッセージの時間位置で占有するシンボルのすべては、同期信号ブロックの実際の送信位置又は候補送信位置で占有するシンボルであり、ここで、前記Ｌは１以上の整数である。
【０１３７】
該実施方式において、ネットワーク装置は、同期信号ブロックのどの実際の送信位置又は候補位置が、ページング又はブロードキャストメッセージの送信と同時に行うために使用されるかを指示することができる。ビットマッピングにより指示することができる。同期信号ブロックの実際の送信位置又は候補位置の数もＮである場合、Ｎ＊Ｌ個のビットを用いてどのシンボルがページング又はブロードキャストメッセージの送信を行うために使用されるかを指示することができる。
【０１３８】
また、図７に示すように、利用可能なＳＳＢの候補位置の各々に、４つのＳＳＢに利用可能なシンボルがあり、ページングメッセージ又はブロードキャストメッセージが４シンボルで送信される場合、１つのタイムスロット内のＳＳＢ分布パターンにおけるＳＳＢ位置での４シンボルを多重化することができる。ページングメッセージ又はブロードキャストメッセージが２シンボルで送信される場合、２回のページングメッセージの送信は、前記パターンにおける利用可能な１組の前記４シンボルを多重化することができる。
【０１３９】
しかし、図５〜図７は主にページング又はブロードキャストメッセージの送信時に２シンボル、４シンボル及び７シンボルが占有される場合を示すが、本願の実施例のページング又はブロードキャストメッセージの送信は、５シンボル又は６シンボルなどの他の数のシンボルを占有することができる。
【０１４０】
任意選択で、３０ＫＨｚ、１２０ＫＨＺ又は２４０ＫＨＺでのＳＳＢ  パターンについては、ＳＳＢのパターンに限定されているため、隣接するＳＳＢの候補位置でシンボルが連続しているため、ｐａｇｉｎｇ送信又はブロードキャストメッセージの送信に使用することができるシンボルは、４つより多くのものが存在しない。好適なｐａｇｉｎｇ送信又はブロードキャストメッセージの送信に用いるシンボルの数は４つである。
【０１４１】
任意選択で、ＳＳ  ｂｌｏｃｋの各々に対応するビーム内において、ページング又はブロードキャストメッセージ送信の送信時間長は２、４、７シンボル、又は１つのｓｌｏｔに対応する時間長である。好ましくは、ページング又はブロードキャストメッセージ送信の送信時間長が２、４シンボルである場合、ページング又はブロードキャストメッセージは、ＳＳ  Ｂｌｏｃｋの占有するシンボル内で送信され、しかもページング又はブロードキャストメッセージの送信はＳＳ  Ｂｌｏｃｋと周波数分割多重化される。
【０１４２】
任意選択で、全てのＳＳ  Ｂｌｏｃｋにおける、ページング又はブロードキャストメッセージ送信の時間長は同じである。
【０１４３】
以上、確定された方式が第１の方式である場合、如何に端末装置に対してページングを行い、又はブロードキャストメッセージを送信するかを説明し、以下、確定された方式が第２の方式である場合、如何に端末装置に対してページングを行い、又はブロードキャストメッセージを送信するかを説明する。
【０１４４】
一実施形態において、確定された該方式が第２の方式である場合、該特定の周波数点で、連続するＮ個の時間位置においてページングする、又はブロードキャストメッセージを送信する。
【０１４５】
任意選択で、例えば、図８の第１行に示されるように、該Ｎ個の時間位置は、Ｑ個のタイムスロットを占有し、開始点は該Ｑ個のタイムスロット内の１番目のタイムスロットのＭ番目のシンボルであり、ここで、該Ｑは１以上の整数であり、該Ｍは１以上の整数である。
【０１４６】
例えば、ページングは、全てのＳＳＢに対応するｐａｇｉｎｇが送信されるまで、確定された時間開始点から、ｐａｇｉｎｇメッセージの時間長に従って連続的に配列される。前記確定された時間開始点は、ＰＯのｓｌｏｔの開始点（すなわち、１番目のシンボル）であってもよく、Ｐｏｓｌｏｔのｓｌｏｔ内の１つのオフセット開始シンボルの位置であってもよく、前記開始点は、ネットワーク及び端末により予め予約されるものであってもよく、又はネットワークにより端末に通知するものであってもよい。
【０１４７】
別の実施形態において、確定された該方式が第２の方式である場合、少なくとも２つの隣接する時間位置の間で連続しないＮ個の時間位置でページングする、又はブロードキャストメッセージを送信する。例えば、図８の第２〜第７行に示される。
【０１４８】
任意選択で、該Ｎ個の時間位置は、Ｔ個の時間位置を含むＲ個のタイムスロットを占有し、ここで、該Ｒは１以上の整数であり、該Ｔは１以上の整数である。
【０１４９】
任意選択で、該各タイムスロットにおいて、該Ｔ個の時間位置の開始点は該各タイムスロットのＳ番目のシンボルであり、ここで、該Ｓは１以上の整数である。例えば、図６の第２行〜第７行に示されるように、Ｓは１より大きい。
【０１５０】
任意選択で、該各タイムスロットにおいて、該Ｔ個の時間位置の終了点は該各タイムスロットの後ろからＰ番目のシンボルであり、ここで、該Ｐは１以上の整数である。図６の第３行〜第７行に示されるように、Ｐは１より大きい。
【０１５１】
任意選択で、図８の第５行〜第６行に示されるように、該Ｔが１より大きい場合、該Ｔ個の時間位置のいずれか２つの時間位置は連続しない。
【０１５２】
例えば、ページングを例として、実際に送信されるすべてのＳＳＢに対応するｐａｇｉｎｇが送信されるまで、確定されたＰＯの時間の開始点から、ｐａｇｉｎｇメッセージの時間長に従って、それぞれ、ＰＯの各ｓｌｏｔ内において、Ｍ番目のシンボルから、非連続的に配列されているＫ回のページングメッセージを送信し、隣接する２回のページングメッセージの間にＮ個のシンボルの間隔を取ってもよく。Ｍを１、２、３としてもよく、Ｎを１、２、３としてもよく、Ｋ＝１−３である。
【０１５３】
任意選択で、例えば、図８の第８行〜第４行に示されるように、該Ｔが１より大きい場合、少なくとも２つの連続する時間位置に該Ｔ個の時間位置に存在する。
【０１５４】
例えば、ページングを例として、確定されたＰＯの時間の開始点から、実際に伝送されるすべてのＳＳＢに対応するｐａｇｉｎｇが送信されるまで、ｐａｇｉｎｇメッセージの時間長に従って、それぞれＰＯ内の各ｓｌｏｔ内のＭ番目のシンボルからＫ回のページングメッセージ伝送が連続的に配列される。Ｍを１、２、３としてもよく、Ｋ＝１−３としている。
【０１５５】
任意選択で、例えば、図８の第２行〜第４行に示されるように、同一のタイムスロット内において、該少なくとも２つの連続する時間位置と、隣接する該少なくとも２つの連続する時間位置との間に、少なくとも１つのシンボルの間隔が取られている。
【０１５６】
以上、該第１のパラメータセットが、同期信号ブロックを実際に送信するのに用いられるパラメータセットを参照したものであり、第２のパラメータセットが、同期信号ブロックを実際に送信するのに用いられるパラメータセットを参照していないものであることを例示して説明する。しかし、本願の実施例はこれに限定されず、第１のパラメータセット及び第２のパラメータセットは、いずれも同期信号ブロックを実際に送信するのに用いられるパラメータセットを参照したものであることを理解すべきである。
【０１５７】
例えば、第１のパラメータセット及び第２のパラメータセットは、あるパラメータにおいて、いずれも異なる信号ブロックを実際に送信するのに用いられるパラメータを参照したものであるが、該パラメータ値が異なり、例えば、同期信号ブロックを実際に送信する実際の時間長が４シンボルであるため、第１のパラメータセット及び第２のパラメータセットに対応する時間位置の長さはいずれも４シンボル以下であり、第１のパラメータセットに対応する時間位置の長さは２シンボルであり、第２のパラメータセットに対応する時間位置の長さは４シンボルである。
【０１５８】
例えば、第１のパラメータセット及び第２のパラメータセットはそれぞれ同期信号ブロックを実際に送信する異なるパラメータを参照したものであり、例えば、第１のパラメータセットは同期信号ブロックを実際に送信するサブ搬送波間隔を参照したものであり、第２のパラメータセットは同期信号ブロックを実際に送信する時間位置の長さを参照したものである。
【０１５９】
従って、本願の実施例に、第１のパラメータセットに対応する第１の方式及び第２のパラメータセットに対応する第２の方式が存在し、ネットワーク装置によるページング又はブロードキャストメッセージの送信に使用でき、ネットワーク装置が端末装置に対してページングを行い、又はブロードキャストメッセージを送信する柔軟性を改善し得る。
【０１６０】
図９は本願の実施例に係るネットワーク装置３００を示す概略ブロック図である。図９に示すように、該ネットワーク装置３００は、処理ユニット３１０と、通信ユニット３２０とを備えている。
【０１６１】
前記処理ユニット３１０は、端末装置に対してのページング、又はブロードキャストメッセージの送信の方式を確定するように構成され、
確定された前記方式が第１の方式と第２の方式のいずれかであり、前記第１の方式において、特定の周波数点でのページング又はブロードキャストメッセージの送信が、第１のパラメータセットを使用し、前記第２の方式において、特定の周波数点でのページング又はブロードキャストメッセージの送信が、第２のパラメータセットを使用する。
【０１６２】
前記通信ユニット３２０は、確定された前記方式に応じて、前記特定の周波数点で、前記端末装置に対してページングを行い、又は前記ブロードキャストメッセージを送信するように構成される。
【０１６３】
該ネットワーク装置３００は方法実施例におけるネットワーク装置に対応して、方法実施例におけるネットワーク装置により実現される対応する操作を実現できることが理解され、簡潔にするために、ここで繰り返し説明しない。
【０１６４】
図１０は本願の実施例に係る端末装置４００を示す概略ブロック図である。図１０に示すように、該端末装置４００は、処理ユニット４１０と、通信ユニット４２０とを備えている。
【０１６５】
前記処理ユニット４１０は、ネットワーク装置からの前記端末装置に対してのページング又はブロードキャストメッセージの送信の方式を確定するように構成され、
確定された前記方式が第１の方式と第２の方式のいずれかであり、前記第１の方式において、特定の周波数点でのページング又はブロードキャストメッセージの送信が、第１のパラメータセットを使用し、前記第２の方式において、特定の周波数点でのページング又はブロードキャストメッセージの送信が、第２のパラメータセットを使用する。
【０１６６】
前記通信ユニット４２０は、確定された前記方式に応じて、前記特定の周波数点で、前記ネットワーク装置からの、前記端末装置に対してのページング又はブロードキャストメッセージの送信をモニタリングするように構成される。
【０１６７】
該端末装置４００は、方法実施例における端末装置に対応して、方法実施例における端末装置により実現される対応する操作を実現できることが理解され、簡潔にするために、ここで繰り返し説明しない。
【０１６８】
図１１は本願の実施例に係るシステムチップ６００を示す１つの概略構造図である。図１１のシステムチップ６００は、入力インタフェース６０１、出力インタフェース６０２を含み、前記プロセッサ６０３及びメモリ６０４の間に内部通信接続パスを介して接続され、前記プロセッサ６０３は前記メモリ６０４におけるコードを実行する。
【０１６９】
任意選択で、前記コードが実行される際に、前記プロセッサ６０３は、方法実施例におけるネットワーク装置により実行される方法を実現する。簡潔にするために、ここで繰り返し説明しない。
【０１７０】
任意選択で、前記コードが実行される際に、前記プロセッサ６０３は、方法実施例における端末装置により実行される方法を実現する。簡潔にするために、ここで繰り返し説明しない。
【０１７１】
図１２は本願の実施例に係る通信装置７００を示す概略ブロック図である。図１２に示すように、該通信装置７００は、プロセッサ７１０及びメモリ７２０を含む。該メモリ７２０はプログラムコードを記憶し、該プロセッサ７１０は該メモリ７２０に記憶されているプログラムコードを実行する。
【０１７２】
任意選択で、図１２に示すように、該通信装置７００は、送受信機７３０を含んでもよく、プロセッサ７１０は送受信機７３０の外部通信を制御することができる。
【０１７３】
任意選択で、該プロセッサ７１０はメモリ７２０に記憶されているプログラムコードを呼び出して、方法実施例におけるネットワーク装置の対応する操作を実行することができ、簡潔にするために、ここで繰り返し説明しない。
【０１７４】
任意選択で、該プロセッサ７１０は、メモリ７２０に記憶されているプログラムコードを呼び出して、方法実施例における端末装置の対応する操作を実行することができ、簡潔にするために、ここで繰り返し説明しない。
【０１７５】
理解できるのは、本願の実施例のプロセッサは集積回路チップであってもよく、信号の処理能力を有する。実現プロセスにおいて、上記方法実施例の各ステップは、プロセッサにおけるハードウェアの集積ロジック回路又はソフトウェア形態の命令によって完了することができる。上記プロセッサは、汎用プロセッサ、デジタル信号プロセッサ（Ｄｉｇｉｔａｌ  Ｓｉｇｎａｌ  Ｐｒｏｃｅｓｓｏｒ：ＤＳＰと略称）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣと略称）、フィールドプログラマブルゲートアレイ（Ｆｉｅｌｄ  Ｐｒｏｇｒａｍｍａｂｌｅ  Ｇａｔｅ  Ａｒｒａｙ：ＦＰＧＡと略称）又は他のプログラマブルロジックデバイス、離散ゲート或いはトランジスタロジックデバイス、離散ハードウェアコンポーネントであってもよい。本願の実施例に開示されている各方法、ステップ及び論理ブロック図を実現又は実行することができる。汎用プロセッサは、マイクロプロセッサであってもよく、又は該プロセッサは任意の通常のプロセッサなどであってもよい。本願の実施例に開示されている方法を組み合わせたステップは、ハードウェアデコードプロセッサにより実行して完了し、又はデコードプロセッサにおけるハードウェアとソフトウェアモジュールの組み合わせにより実行して完了するように直接的に体現化される。ソフトウェアモジュールは、ランダムアクセスメモリ、フラッシュメモリ、読み出し専用メモリ、プログラマブル読み出し専用メモリ又は電気的消去可能プログラマブルメモリ、レジスタなどの本分野において成熟した記憶媒体に位置することができる。該記憶媒体はメモリに位置し、プロセッサはメモリにおける情報を読み取り、そのハードウェアを組み合わせて上記方法のステップを完了する。
【０１７６】
理解できるのは、本願の実施例におけるメモリは、揮発性メモリ又は不揮発性メモリであってもよく、又は揮発性と不揮発性メモリをともに含んでもよい。不揮発性メモリは、読み出し専用メモリ（Ｒｅａｄ−Ｏｎｌｙ  Ｍｅｍｏｒｙ：ＲＯＭと略称）、プログラマブル読み出し専用メモリ（Ｐｒｏｇｒａｍｍａｂｌｅ  ＲＯＭ：ＰＲＯＭと略称）、消去可能なプログラマブル読み取り専用メモリ（Ｅｒａｓａｂｌｅ  ＰＲＯＭ：ＥＰＲＯＭと略称）、電気的に消去可能なプログラマブル読み取り専用メモリ（Ｅｌｅｃｔｒｉｃａｌｌｙ  ＥＰＲＯＭ：ＥＥＰＲＯＭと略称）又はフラッシュメモリであってもよい。揮発性メモリは、ランダムアクセスメモリ（Ｒａｎｄｏｍ  Ａｃｃｅｓｓ  Ｍｅｍｏｒｙ：ＲＡＭと略称）であってもよく、外部キャッシュとして使用される。例示的なものであるが限定するためのものではない説明により、複数の形態のＲＡＭを利用することができ、例えば、スタティックランダムアクセスメモリ（Ｓｔａｔｉｃ  ＲＡＭ：ＳＲＡＭと略称）、ダイナミックランダムアクセスメモリ（Ｄｙｎａｍｉｃ  ＲＡＭ：ＤＲＡＭと略称）、同期ダイナミックランダムアクセスメモリ（Ｓｙｎｃｈｒｏｎｏｕｓ  ＤＲＡＭ：ＳＤＲＡＭと略称）、ダブルデータ速率同期ダイナミックランダムアクセスメモリ（Ｄｏｕｂｌｅ  Ｄａｔａ  Ｒａｔｅ  ＳＤＲＡＭ：ＤＤＲ  ＳＤＲＡＭと略称）、強化型同期ダイナミックランダムアクセスメモリ（Ｅｎｈａｎｃｅｄ  ＳＤＲＡＭ：ＥＳＤＲＡＭと略称）、同期接続ダイナミックランダムアクセスメモリ（Ｓｙｎｃｈｌｉｎｋ  ＤＲＡＭ：ＳＬＤＲＡＭと略称）及び直接メモリバスランダムアクセスメモリ（Ｄｉｒｅｃｔ  Ｒａｍｂｕｓ  ＲＡＭ：ＤＲ  ＲＡＭと略称）を利用することができる。注意すべきなのは、本明細書に記載されるシステムと方法のメモリはこれら及び任意の他の適合なタイプのメモリを含むが、これらに限定されない。
【０１７７】
当業者は、本明細書に開示されている実施例に記載の各例示的なユニット及びアルゴリズムステップを組み合わせて、電子ハードウェア、又はコンピュータソフトウェア及び電子ハードウェアの組み合わせで実現することができることを認識できる。これらの機能は、ハードウェアで実行するか又はソフトウェアで実行するかは、技術案の特定のアプリケーション及び設計制約条件によって決められる。当業者は、各特定のアプリケーションに対して異なる方法で説明した機能を実現することができるが、このような実現は本願の範囲を超えると考えられない。
【０１７８】
当業者は、便宜上且つ簡単に説明するために、上記説明されるシステム、装置及びユニットの具体的な作業過程が、上記方法実施例における対応する過程を参照することができ、ここで繰り返し説明しないことを明らかに理解できるものとする。
【０１７９】
本願で提供するいくつかの実施例において、開示されるシステム、装置及び方法は、他の方式によって実現することができることを理解すべきである。例えば、以上説明される装置実施例は、単に例示的なものに過ぎず、例えば、前記ユニットの分割は、論理機能分割に過ぎず、実際に実現する際に他の分割方式があり、例えば、複数のユニット又は組立部品を結合してもよく、又は他のシステムに集積してもよく、又はいくつかの特徴を無視することができ、又は実行しなくてもよい。また、表示又は検討した相互結合又は直接的結合又は通信接続は、いくつかのインタフェース、装置又はユニットによる間接的結合は通信接続であってもよく、電気的、機械的又は他の形態であってもよい。
【０１８０】
上記分離部材として説明したユニットは、物理的に分離されてもよく、又は物理的に分離されなくてもよく、ユニットとして表示する部材は、物理ユニットであってもよく、又は物理ユニットではなくてもよく、すなわち、１つの場所に位置してもよく、又は複数のネットワークユニットに分布してもよい。実際の需要に応じてその中の一部又は全部のユニットを選択して本実施例手段の目的を実現することができる。
【０１８１】
また、本願の各実施例における各機能ユニットは１つの処理ユニットに集積されてもよく、各ユニットは単独に物理的に存在してもよく、２つ又は２つ以上のユニットは１つのユニットに集積されてもよい。
【０１８２】
前記機能は、ソフトウェア機能ユニットの形態で実現するとともに独立した製品として販売又は使用される場合、１つのコンピュータ読み取り可能な記憶媒体に記憶することができる。このような理解に基づき、本願の技術案は本質的又は従来技術に貢献する部分又は該技術案の一部はソフトウェア製品の形態で具現化され、該コンピュータソフトウェア製品は、１つの記憶媒体に記憶され、１台のコンピュータ装置（パーソナルコンピュータ、サーバ、又はネットワーク装置等であってもよい）が本願の各実施例に記載の方法の全部又は一部のステップを実行させるためのいくつかの命令を含む。上記記憶媒体は、Ｕディスク、モバイルハードディスク、読み出し専用メモリ（Ｒｅａｄ−Ｏｎｌｙ  Ｍｅｍｏｒｙ：ＲＯＭと略称）、ランダムアクセスメモリ（Ｒａｎｄｏｍ  Ａｃｃｅｓｓ  Ｍｅｍｏｒｙ：ＲＡＭと略称）、磁気ディスク又は光ディスクなどのプロクラムコードを記憶可能な様々な媒体である。
【０１８３】
以上は、本願の具体的な実施形態に過ぎず、本願の保護範囲はこれに限定されず、当業者が本願に開示されている技術範囲内に、変化又は置換を容易に想到でき、これらはいずれも本願の保護範囲内に含まれる。このため、本願の保護範囲は特許請求の範囲による保護範囲を基準とすべきである。
【図１】
2021510285.tif 000003
【図２】
2021510285.tif 000004
【図３】
2021510285.tif 000005
【図４】
2021510285.tif 000006
【図５】
2021510285.tif 000007
【図６】
2021510285.tif 000008
【図７】
2021510285.tif 000009
【図８】
2021510285.tif 000010
【図９】
2021510285.tif 000011
【図１０】
2021510285.tif 000012
【図１１】
2021510285.tif 000013
【図１２】
2021510285.tif 000014
【手続補正書】
【提出日】平成31年3月14日(2019.3.14)
【手続補正１】
【補正対象書類名】特許請求の範囲
【補正対象項目名】全文
【補正方法】変更
【補正の内容】
【特許請求の範囲】
【請求項１】
無線通信方法であって、
ネットワーク装置が、端末装置に対してのページング、又はブロードキャストメッセージの送信の方式を確定することであって、確定された前記方式が第１の方式と第２の方式のいずれかであり、前記第１の方式において、特定の周波数点でのページング又はブロードキャストメッセージの送信が、第１のパラメータセットを使用し、前記第２の方式において、特定の周波数点でのページング又はブロードキャストメッセージの送信が、第２のパラメータセットを使用することと、
前記ネットワーク装置が、確定された前記方式に応じて、特定の周波数点で、前記端末装置に対してページングを行い、又は前記ブロードキャストメッセージを送信することと、を含むことを特徴とする、
無線通信方法。
【請求項２】
前記ネットワーク装置が端末装置に対してのページング、又はブロードキャストメッセージの送信の方式を確定する前に、
前記ネットワーク装置が、前記端末装置に対してページングを行うページング機会を確定することを更に含み、
前記ネットワーク装置が端末装置に対してのページング、又はブロードキャストメッセージの送信の方式を確定することは、
前記ネットワーク装置が、前記ページング機会で前記端末装置に対してページングを行う方式を確定することを含むことを特徴とする
請求項１に記載の方法。
【請求項３】
前記第１のパラメータセットと前記第２のパラメータセットのそれぞれが、ページング又は前記ブロードキャストメッセージの送信が占用する必要がある時間位置、時間長、サブ搬送波間隔、及び時間位置の間の間隔のうちの少なくとも１つを含むことを特徴とする
請求項１又は２に記載の方法。
【請求項４】
前記ネットワーク装置が前記端末装置に対してページングを行う又は前記ブロードキャストメッセージを送信することは、
前記時間位置で、ページングのためのＰＤＣＣＨ及び／又はＰＤＳＣＨを送信することを含むことを特徴とする
請求項３に記載の方法。
【請求項５】
各時間位置は１つのビームスキャンに対応することを特徴とする
請求項３又は４に記載の方法。
【請求項６】
前記第１のパラメータセットは、同期信号ブロックを実際に送信するのに用いられるパラメータセットを参照したものであり、前記第２のパラメータセットは、同期信号ブロックを実際に送信するのに用いられるパラメータセットを参照していないものであることを特徴とする
請求項１〜５のいずれか１項に記載の方法。
【請求項７】
前記ネットワーク装置は、第１の情報を前記端末装置に送信することを更に含み、前記第１の情報が、ページング又はブロードキャストメッセージ送信の方式を通知する、又は前記第１のパラメータセット及び／又は前記第２のパラメータセットを通知するために用いられること特徴とする
請求項１〜６のいずれか１項に記載の方法。
【請求項８】
前記第１の情報は、残存最小システム情報（ＲＭＳＩ）、他のシステム情報（ＯＳＩ）、オンデマンドシステム情報又は無線リソース制御（ＲＲＣ）メッセージにより搬送されることを特徴とする
請求項７に記載の方法。
【請求項９】
前記ネットワーク装置が端末装置に対してのページング、又はブロードキャストメッセージの送信の方式を確定することは、
前記ネットワーク装置が、現在、ページングするページング機会又は前記ブロードキャストメッセージを送信する時間帯に応じて、前記端末装置に対してのページング、又はブロードキャストメッセージの送信の方式を確定することを含むことを特徴とする
請求項１〜８のいずれか１項に記載の方法。
【請求項１０】
前記ネットワーク装置が、第２の情報を前記端末装置に送信することをさらに含み、前記第２の情報が、ページング又は前記ブロードキャストメッセージの送信の方式と時間帯との関連関係を通知するために用いられることを特徴とする
請求項９に記載の方法。
【請求項１１】
前記第２の情報は、残存最小システム情報（ＲＭＳＩ）、他のシステム情報（ＯＳＩ）、オンデマンドシステム情報又は無線リソース制御（ＲＲＣ）メッセージにより搬送されることを特徴とする
請求項１０に記載の方法。
【請求項１２】
前記ネットワーク装置が端末装置に対してのページング、又はブロードキャストメッセージの送信の方式を確定することは、
ページング又はブロードキャストメッセージ送信の時間範囲内において、同期信号ブロックを送信しているか否か、又はページング又はブロードキャストメッセージ送信の時間範囲内に、同期信号ブロックの候補送信時間位置があるか否かに基づいて、ページング又はブロードキャストメッセージ送信の方式を確定することを含むことを特徴とする
請求項６又は９〜１１のいずれか１項に記載の方法。
【請求項１３】
ページング又はブロードキャストメッセージ送信の時間範囲内において、同期信号ブロックを送信しているか否か、又はページング又はブロードキャストメッセージ送信の時間範囲内に、同期信号ブロックの候補送信時間位置があるか否かに基づいて、ページング又はブロードキャストメッセージ送信の方式を確定することは、
ページング又はブロードキャストメッセージ送信の時間範囲内において、同期信号ブロックを送信している、又はページング又はブロードキャストメッセージ送信の時間範囲内に、同期信号ブロックの候補送信時間位置がある場合、ページング又はブロードキャストメッセージ送信の方式を前記第１の方式として確定することと、
ページング又はブロードキャストメッセージ送信の時間範囲内において、同期信号ブロックを送信していない、又はページング又はブロードキャストメッセージ送信の時間範囲内に、同期信号ブロックの候補送信時間位置がない場合、ページング又はブロードキャストメッセージ送信の方式を前記第２の方式として確定することと、を含むことを特徴とする
請求項１２に記載の方法。
【請求項１４】
前記ネットワーク装置が、確定された前記方式に応じて、前記特定の周波数点で、前記端末装置に対してページングを行い、又はブロードキャストメッセージを送信することは、
確定された方式が前記第１の方式である場合、前記特定の周波数点で同期信号ブロックを実際に送信する時間長、時間位置における少なくとも一部のシンボル、サブ搬送波間隔及び時間位置の間の間隔のうちの少なくとも１つを、前記特定の周波数点でのページング又はブロードキャストメッセージの送信が必要とする時間長、時間位置における少なくとも一部のシンボル、サブ搬送波間隔及び時間位置の間の間隔のうちの少なくとも１つ、として確定することと、
確定された前記時間長、時間位置、サブ搬送波間隔及び時間位置の間の間隔のうちの少なくとも１つに基づいて、前記特定の周波数点で、前記端末装置に対してページングを行い、又はブロードキャストメッセージを送信することと、を含むことを特徴とする
請求項６、１２又は１３に記載の方法。
【請求項１５】
確定された前記時間長及び／又は位置に基づいて、前記特定の周波数点で、前記端末装置に対してページングを行い、又はブロードキャストメッセージを送信することは、
前記特定の周波数点で、同期信号ブロックの送信と同じビームパラメータ設定を用いて、前記端末装置に対してページングを行い、又はブロードキャストメッセージを送信することを含むことを特徴とする
請求項１４に記載の方法。
【請求項１６】
前記ネットワーク装置が、確定された前記方式に応じて、前記端末装置に対してページングを行い、又はブロードキャストメッセージを送信することは、
確定された前記方式が第２の方式である場合、前記特定の周波数点で、連続するＮ個の時間位置において、前記端末装置に対してページングを行い、又はブロードキャストメッセージを送信することを含むことを特徴とする
請求項１〜１３のいずれか１項に記載の方法。
【請求項１７】
前記Ｎ個の時間位置は、Ｑ個のタイムスロットを占有し、Ｎ個の時間位置の開始点は、前記Ｑ個のタイムスロット内の１番目のタイムスロットのＭ番目のシンボルであり、ここで、前記Ｑは１以上の整数であり、前記Ｍは１以上の整数であることを特徴とする
請求項１６に記載の方法。
【請求項１８】
前記ネットワーク装置が、確定された前記方式に応じて、前記端末装置に対してページングを行い、又はブロードキャストメッセージを送信することは、
確定された前記方式が第２の方式である場合、少なくとも２つの隣接する時間位置の間で連続しないＮ個の時間位置において、前記端末装置に対してページングを行い、又はブロードキャストメッセージを送信することを含むことを特徴とする
請求項１〜１３のいずれか１項に記載の方法。
【請求項１９】
前記Ｎ個の時間位置は、Ｔ個の時間位置を含むＲ個のタイムスロットを占有し、ここで、前記Ｒは１以上の整数であり、前記Ｔは１以上の整数であることを特徴とする
請求項１８に記載の方法。
【請求項２０】
前記各タイムスロットにおいて、前記Ｔ個の時間位置の開始点は、前記各タイムスロットのＳ番目のシンボルであり、ここで、前記Ｓは１以上の整数であることを特徴とする
請求項１９に記載の方法。
【請求項２１】
前記各タイムスロットにおいて、前記Ｔ個の時間位置の終了点は、前記各タイムスロットの後ろからＰ番目のシンボルであり、ここで、前記Ｐは１以上の整数であることを特徴とする
請求項１９に記載の方法。
【請求項２２】
前記Ｔが１より大きい場合、前記Ｔ個の時間位置のいずれか２つの時間位置は連続しないことを特徴とする
請求項１９〜２１のいずれか１項に記載の方法。
【請求項２３】
前記Ｔが１より大きい場合、前記Ｔ個の時間位置に少なくとも２つの連続する時間位置が存在することを特徴とする
請求項１９〜２１のいずれか１項に記載の方法。
【請求項２４】
同一のタイムスロット内において、前記少なくとも２つの連続する時間位置と、隣接する前記少なくとも２つの連続する時間位置との間に、少なくとも１つのシンボルの間隔が取られていることを特徴とする
請求項２３に記載の方法。
【請求項２５】
無線通信方法であって、
端末装置が、ネットワーク装置からの前記端末装置に対してのページング又はブロードキャストメッセージの送信の方式を確定することであって、確定された前記方式が第１の方式と第２の方式のいずれかであり、前記第１の方式において、特定の周波数点でのページング又はブロードキャストメッセージの送信が、第１のパラメータセットを使用し、前記第２の方式において、特定の周波数点でのページング又はブロードキャストメッセージの送信が、第２のパラメータセットを使用することと、
前記端末装置が、確定された前記方式に応じて、特定の周波数点で、前記ネットワーク装置からの、前記端末装置に対してのページング又はブロードキャストメッセージの送信をモニタリングすることと、を含むことを特徴とする、
無線通信方法。
【請求項２６】
前記端末装置が、ネットワーク装置からの前記端末装置に対してのページング又はブロードキャストメッセージの送信の方式を確定する前に、
前記端末装置が、前記ネットワーク装置からの前記端末装置に対してのページング機会を確定することを更に含み、
前記端末装置が、ネットワーク装置からの前記端末装置に対してのページング又はブロードキャストメッセージの送信の方式を確定することは、
前記端末装置が、前記ページング機会内で前記ネットワーク装置が前記端末装置に対してページングを行う方式を確定することを含むことを特徴とする
請求項２５に記載の方法。
【請求項２７】
前記第１のパラメータセットと前記第２のパラメータセットのそれぞれが、ページング又は前記ブロードキャストメッセージの送信が占用する必要がある時間位置、時間長、サブ搬送波間隔、及び時間位置の間の間隔のうちの少なくとも１つを含むことを特徴とする
請求項２５又は２６に記載の方法。
【請求項２８】
前記端末装置が、前記ネットワーク装置からの、前記端末装置に対してのページング又はブロードキャストメッセージの送信をモニタリングすることは、
前記端末装置が、前記時間位置で、ページングのためのＰＤＣＣＨ及び／又はＰＤＳＣＨをモニタリングすることを含むことを特徴とする
請求項２７に記載の方法。
【請求項２９】
前記第１のパラメータセットは、同期信号ブロックを実際に送信するのに用いられるパラメータセットを参照したものであり、前記第２のパラメータセットは、同期信号ブロックを実際に送信するのに用いられるパラメータセットを参照していないものであることを特徴とする
請求項２５〜２８のいずれか１項に記載の方法。
【請求項３０】
前記端末装置は、前記ネットワーク装置により送信された第１の情報を受信することを更に含み、前記第１の情報が、ページング又はブロードキャストメッセージ送信の方式を通知する、又は前記第１のパラメータセット及び／又は前記第２のパラメータセットを通知するために用いられることを特徴とする
請求項２５〜２９のいずれか１項に記載の方法。
【請求項３１】
前記第１の情報は、残存最小システム情報（ＲＭＳＩ）、他のシステム情報（ＯＳＩ）、オンデマンドシステム情報又は無線リソース制御（ＲＲＣ）メッセージにより搬送されることを特徴とする
請求項３０に記載の方法。
【請求項３２】
前記端末装置が、ネットワーク装置からの前記端末装置に対してのページング又はブロードキャストメッセージの送信の方式を確定することは、
前記端末装置が、現在ページングするページング機会又はブロードキャストメッセージを送信する時間帯に応じて、前記ネットワーク装置からの前記端末装置に対してのページング又はブロードキャストメッセージの送信の方式を確定することを含むことを特徴とする
請求項２５〜３１のいずれか１項に記載の方法。
【請求項３３】
前記端末装置が、前記ネットワーク装置により送信された第２の情報を受信することをさらに含み、前記第２の情報が、ページング又はブロードキャストメッセージの送信の方式と時間帯との関連関係を通知するために用いられ、又は
前記ネットワーク装置からの前記端末装置に対してのページング又はブロードキャストメッセージの送信の方式と時間帯との関連関係は、前記端末装置に予め設定されることを特徴とする
請求項３２に記載の方法。
【請求項３４】
前記第２の情報は、残存最小システム情報（ＲＭＳＩ）、他のシステム情報（ＯＳＩ）、オンデマンドシステム情報又は無線リソース制御（ＲＲＣ）メッセージにより搬送されることを特徴とする
請求項３３に記載の方法。
【請求項３５】
前記端末装置が、ネットワーク装置からの前記端末装置に対してのページング又はブロードキャストメッセージの送信の方式を確定することは、
前記端末装置が、前記ネットワーク装置からの前記端末装置に対してのページング又はブロードキャストメッセージの送信の時間範囲内において、同期信号ブロックが送信されているか否か、又は前記ネットワーク装置からの前記端末装置に対してのページング又はブロードキャストメッセージの送信の時間範囲内に、同期信号ブロックの候補送信時間位置があるか否かに基づいて、前記ネットワーク装置からの前記端末装置に対してのページング又はブロードキャストメッセージの送信の方式を確定することを含むことを特徴とする
請求項２９又は３２〜３４のいずれか１項に記載の方法。
【請求項３６】
前記端末装置が、前記ネットワーク装置からの前記端末装置に対してのページング又はブロードキャストメッセージの送信の時間範囲内において、同期信号ブロックが送信されているか否か、又は前記ネットワーク装置からの前記端末装置に対してのページング又はブロードキャストメッセージの送信の時間範囲内に、同期信号ブロックの候補送信時間位置があるか否かに基づいて、前記ネットワーク装置からの前記端末装置に対してのページング又はブロードキャストメッセージの送信の方式を確定することは、
前記ネットワーク装置からの前記端末装置に対してのページング又はブロードキャストメッセージの送信の時間範囲内において、前記ネットワーク装置から同期信号ブロックが送信されていること、又は前記ネットワーク装置からの前記端末装置に対してのページング又はブロードキャストメッセージの送信の時間範囲内に、同期信号ブロックの候補送信時間位置があることを確定した場合、ページング又はブロードキャストメッセージ送信の方式を前記第１の方式として確定することと、
前記ネットワーク装置からの前記端末装置に対してのページング又はブロードキャストメッセージの送信の時間範囲内において、前記ネットワーク装置から同期信号ブロックが送信されていないこと、又は前記ネットワーク装置からの前記端末装置に対してのページング又はブロードキャストメッセージの送信の時間範囲内に、同期信号ブロックの候補送信時間位置がないことを確定した場合、ページング又はブロードキャストメッセージ送信の方式を前記第２の方式として確定することと、を含むことを特徴とする
請求項３５に記載の方法。
【請求項３７】
前記端末装置が、確定された前記方式に応じて、前記特定の周波数点で、前記ネットワーク装置からの、前記端末装置に対してのページング又はブロードキャストメッセージの送信をモニタリングすることは、
確定された方式が前記第１の方式である場合、前記特定の周波数点で前記ネットワーク装置が同期信号ブロックを実際に送信する時間長、時間位置における少なくとも一部のシンボル、サブ搬送波間隔及び時間位置の間隔のうちの少なくとも１つを、前記特定の周波数点で、前記ネットワーク装置が前記端末装置に対してページングを行い、又はブロードキャストメッセージを送信するのに用いる時間長、時間位置における少なくとも一部のシンボル、サブ搬送波間隔及び時間位置の間隔のうちの少なくとも１つ、として確定することと、
前記端末装置が、確定された前記時間長、時間位置及び／又はサブ搬送波間隔に基づいて、前記特定の周波数点で、前記ネットワーク装置からの、前記端末装置に対してのページング又はブロードキャストメッセージの送信をモニタリングすることと、を含むことを特徴とする
請求項２９、３５又は３６に記載の方法。
【請求項３８】
前記端末装置が、確定された前記方式に応じて、前記特定の周波数点で、前記ネットワーク装置からの、前記端末装置に対してのページング又はブロードキャストメッセージの送信をモニタリングすることは、
確定された前記方式が第２の方式である場合、前記特定の周波数点で、連続するＮ個の時間位置において、前記ネットワーク装置からの、前記端末装置に対してのページング又はブロードキャストメッセージの送信をモニタリングすることを含むことを特徴とする
請求項２５〜３６のいずれか１項に記載の方法。
【請求項３９】
前記Ｎ個の時間位置は、Ｑ個のタイムスロットを占有し、Ｎ個の時間位置の開始点は、前記Ｑ個のタイムスロット内の１番目のタイムスロットのＭ番目のシンボルであり、ここで、前記Ｑは１以上の整数であり、前記Ｍは１以上の整数であることを特徴とする
請求項３８に記載の方法。
【請求項４０】
前記端末装置が、確定された前記方式に応じて、前記特定の周波数点で、前記ネットワーク装置からの、前記端末装置に対してのページング又はブロードキャストメッセージの送信をモニタリングすることは、
前記端末装置が、確定された前記方式が第２の方式である場合、少なくとも２つの隣接する時間位置の間で連続しないＮ個の時間位置で、前記ネットワーク装置からの、前記端末装置に対してのページング又はブロードキャストメッセージの送信をモニタリングすることを含むことを特徴とする
請求項２５〜３６のいずれか１項に記載の方法。
【請求項４１】
前記Ｎ個の時間位置は、Ｔ個の時間位置を含むＲ個のタイムスロットを占有し、ここで、前記Ｒは１以上の整数であり、前記Ｔは１以上の整数であることを特徴とする
請求項４０に記載の方法。
【請求項４２】
前記各タイムスロットにおいて、前記Ｔ個の時間位置の開始点は、前記各タイムスロットのＳ番目のシンボルであり、ここで、前記Ｓは１以上の整数であることを特徴とする
請求項４１に記載の方法。
【請求項４３】
前記各タイムスロットにおいて、前記Ｔ個の時間位置の終了点は、前記各タイムスロットの後ろからＰ番目のシンボルであり、ここで、前記Ｐは１以上の整数であることを特徴とする
請求項４１に記載の方法。
【請求項４４】
前記Ｔが１より大きい場合、前記Ｔ個の時間位置のいずれか２つの時間位置は連続しないことを特徴とする
請求項４１〜４３のいずれか１項に記載の方法。
【請求項４５】
前記Ｔが１より大きい場合、前記Ｔ個の時間位置に少なくとも２つの連続する時間位置が存在することを特徴とする
請求項４１〜４３のいずれか１項に記載の方法。
【請求項４６】
同一のタイムスロット内において、前記少なくとも２つの連続する時間位置と、隣接する前記少なくとも２つの連続する時間位置との間に、少なくとも１つのシンボルの間隔が取られていることを特徴とする
請求項４５に記載の方法。
【請求項４７】
ネットワーク装置であって、
端末装置に対してのページング、又はブロードキャストメッセージの送信の方式を確定するように構成される処理ユニットであって、確定された前記方式が第１の方式と第２の方式のいずれかであり、前記第１の方式において、特定の周波数点でのページング又はブロードキャストメッセージの送信が、第１のパラメータセットを使用し、前記第２の方式において、特定の周波数点でのページング又はブロードキャストメッセージの送信が、第２のパラメータセットを使用する処理ユニットと、
確定された前記方式に応じて、特定の周波数点で、前記端末装置に対してページングを行い、又は前記ブロードキャストメッセージを送信するように構成される通信ユニットと、を備えることを特徴とする、
ネットワーク装置。
【請求項４８】
前記処理ユニットは、更に、前記端末装置に対してページングを行うページング機会を確定するように構成され、
前記通信ユニットは、更に、前記ページング機会で前記端末装置に対してページングを行う方式を確定するように構成されることを特徴とする
請求項４７に記載の装置。
【請求項４９】
前記第１のパラメータセットと前記第２のパラメータセットのそれぞれが、ページング又は前記ブロードキャストメッセージの送信が占用する必要がある時間位置、時間長、サブ搬送波間隔、及び時間位置の間の間隔のうちの少なくとも１つを含むことを特徴とする
請求項４７又は４８に記載の装置。
【請求項５０】
前記通信ユニットは、更に、
前記時間位置で、ページングのためのＰＤＣＣＨ及び／又はＰＤＳＣＨを送信するように構成されることを特徴とする
請求項４９に記載の装置。
【請求項５１】
各時間位置は１つのビームスキャンに対応することを特徴とする
請求項４９又は５０に記載の装置。
【請求項５２】
前記第１のパラメータセットは、同期信号ブロックを実際に送信するのに用いられるパラメータセットを参照したものであり、前記第２のパラメータセットは、同期信号ブロックを実際に送信するのに用いられるパラメータセットを参照していないものであることを特徴とする
請求項４７〜５１のいずれか１項に記載の装置。
【請求項５３】
前記通信ユニットは、更に、
第１の情報を前記端末装置に送信するように構成され、前記第１の情報が、ページング又はブロードキャストメッセージ送信の方式を通知する、又は前記第１のパラメータセット及び／又は前記第２のパラメータセットを通知するために用いられることを特徴とする
請求項４７〜５２のいずれか１項に記載の装置。
【請求項５４】
前記第１の情報は、残存最小システム情報（ＲＭＳＩ）、他のシステム情報（ＯＳＩ）、オンデマンドシステム情報又は無線リソース制御（ＲＲＣ）メッセージにより搬送されることを特徴とする
請求項５３に記載の装置。
【請求項５５】
前記処理ユニットは、更に、
現在、ページングするページング機会又は前記ブロードキャストメッセージを送信する時間帯に応じて、前記端末装置に対してのページング、又はブロードキャストメッセージの送信の方式を確定するように構成されることを特徴とする
請求項４７〜５４のいずれか１項に記載の装置。
【請求項５６】
前記通信ユニットは、更に、
第２の情報を前記端末装置に送信するように構成され、前記第２の情報が、ページング又は前記ブロードキャストメッセージの送信の方式と時間帯との関連関係を通知するために用いられることを特徴とする
請求項５５に記載の装置。
【請求項５７】
前記第２の情報は、残存最小システム情報（ＲＭＳＩ）、他のシステム情報（ＯＳＩ）、オンデマンドシステム情報又は無線リソース制御（ＲＲＣ）メッセージにより搬送されることを特徴とする
請求項５６に記載の装置。
【請求項５８】
前記処理ユニットは、更に、
ページング又はブロードキャストメッセージ送信の時間範囲内において、同期信号ブロックを送信しているか否か、又はページング又はブロードキャストメッセージ送信の時間範囲内に、同期信号ブロックの候補送信時間位置があるか否かに基づいて、ページング又はブロードキャストメッセージ送信の方式を確定するように構成されることを特徴とする
請求項５２又は５５〜５７のいずれか１項に記載の装置。
【請求項５９】
前記処理ユニットは、更に、
ページング又はブロードキャストメッセージ送信の時間範囲内において、同期信号ブロックを送信している、又はページング又はブロードキャストメッセージ送信の時間範囲内に、同期信号ブロックの候補送信時間位置がある場合、ページング又はブロードキャストメッセージ送信の方式を前記第１の方式として確定し、
ページング又はブロードキャストメッセージ送信の時間範囲内において、同期信号ブロックを送信していない、又はページング又はブロードキャストメッセージ送信の時間範囲内に、同期信号ブロックの候補送信時間位置がない場合、ページング又はブロードキャストメッセージ送信の方式を前記第２の方式として確定するように構成されることを特徴とする
請求項５８に記載の装置。
【請求項６０】
前記通信ユニットは、更に、
確定された方式が前記第１の方式である場合、前記特定の周波数点で同期信号ブロックを実際に送信する時間長、時間位置における少なくとも一部のシンボル、サブ搬送波間隔及び時間位置の間の間隔のうちの少なくとも１つを、前記特定の周波数点でのページング又はブロードキャストメッセージの送信が必要とする時間長、時間位置における少なくとも一部のシンボル、サブ搬送波間隔及び時間位置の間の間隔のうちの少なくとも１つ、として確定し、
確定された前記時間長、時間位置、サブ搬送波間隔及び時間位置の間の間隔のうちの少なくとも１つに基づいて、前記特定の周波数点で、前記端末装置に対してページングを行い、又はブロードキャストメッセージを送信するように構成されることを特徴とする
請求項５２、５８又は５９に記載の装置。
【請求項６１】
前記通信ユニットは、更に、
前記特定の周波数点で、同期信号ブロックの送信と同じビームパラメータ設定を用いて、前記端末装置に対してページングを行い、又はブロードキャストメッセージを送信するように構成されることを特徴とする
請求項６０に記載の装置。
【請求項６２】
前記通信ユニットは、更に、
確定された前記方式が第２の方式である場合、前記特定の周波数点で、連続するＮ個の時間位置において、前記端末装置に対してページングを行い、又はブロードキャストメッセージを送信するように構成されることを特徴とする
請求項４７〜５９のいずれか１項に記載の装置。
【請求項６３】
前記Ｎ個の時間位置は、Ｑ個のタイムスロットを占有し、Ｎ個の時間位置の開始点は、前記Ｑ個のタイムスロット内の１番目のタイムスロットのＭ番目のシンボルであり、ここで、前記Ｑは１以上の整数であり、前記Ｍは１以上の整数であることを特徴とする
請求項６２に記載の装置。
【請求項６４】
前記通信ユニットは、更に、
確定された前記方式が第２の方式である場合、少なくとも２つの隣接する時間位置の間で連続しないＮ個の時間位置において、前記端末装置に対してページングを行い、又はブロードキャストメッセージを送信するように構成されることを特徴とする
請求項４７〜５９のいずれか１項に記載の装置。
【請求項６５】
前記Ｎ個の時間位置は、Ｔ個の時間位置を含むＲ個のタイムスロットを占有し、ここで、前記Ｒは１以上の整数であり、前記Ｔは１以上の整数であることを特徴とする
請求項６４に記載の装置。
【請求項６６】
前記各タイムスロットにおいて、前記Ｔ個の時間位置の開始点は、前記各タイムスロットのＳ番目のシンボルであり、ここで、前記Ｓは１以上の整数であることを特徴とする
請求項６５に記載の装置。
【請求項６７】
前記各タイムスロットにおいて、前記Ｔ個の時間位置の終了点は、前記各タイムスロットの後ろからＰ番目のシンボルであり、ここで、前記Ｐは１以上の整数であることを特徴とする
請求項６５に記載の装置。
【請求項６８】
前記Ｔが１より大きい場合、前記Ｔ個の時間位置のいずれか２つの時間位置は連続しないことを特徴とする
請求項６５〜６７のいずれか１項に記載の装置。
【請求項６９】
前記Ｔが１より大きい場合、前記Ｔ個の時間位置に少なくとも２つの連続する時間位置が存在することを特徴とする
請求項６５〜６７のいずれか１項に記載の装置。
【請求項７０】
同一のタイムスロット内において、前記少なくとも２つの連続する時間位置と、隣接する前記少なくとも２つの連続する時間位置との間に、少なくとも１つのシンボルの間隔が取られていることを特徴とする
請求項６９に記載の装置。
【請求項７１】
端末装置であって、
ネットワーク装置からの前記端末装置に対してのページング又はブロードキャストメッセージの送信の方式を確定するように構成される処理ユニットであって、確定された前記方式が第１の方式と第２の方式のいずれかであり、前記第１の方式において、特定の周波数点でのページング又はブロードキャストメッセージの送信が、第１のパラメータセットを使用し、前記第２の方式において、特定の周波数点でのページング又はブロードキャストメッセージの送信が、第２のパラメータセットを使用する処理ユニットと、
確定された前記方式に応じて、特定の周波数点で、前記ネットワーク装置からの、前記端末装置に対してのページング又はブロードキャストメッセージの送信をモニタリングするように構成される通信ユニットと、を備えることを特徴とする、
端末装置。
【請求項７２】
前記処理ユニットは、更に、
前記ネットワーク装置からの前記端末装置に対してのページング機会を確定し、
前記ページング機会内で前記ネットワーク装置が前記端末装置に対してページングを行う方式を確定するように構成されることを特徴とする
請求項７１に記載の装置。
【請求項７３】
前記第１のパラメータセットと前記第２のパラメータセットのそれぞれが、ページング又は前記ブロードキャストメッセージの送信が占用する必要がある時間位置、時間長、サブ搬送波間隔、及び時間位置の間の間隔のうちの少なくとも１つを含むことを特徴とする
請求項７１又は７２に記載の装置。
【請求項７４】
前記通信ユニットは、更に、
前記時間位置で、ページングのためのＰＤＣＣＨ及び／又はＰＤＳＣＨをモニタリングするように構成されることを特徴とする
請求項７３に記載の装置。
【請求項７５】
前記第１のパラメータセットは、同期信号ブロックを実際に送信するのに用いられるパラメータセットを参照したものであり、前記第２のパラメータセットは、同期信号ブロックを実際に送信するのに用いられるパラメータセットを参照していないものであることを特徴とする
請求項７１〜７４のいずれか１項に記載の装置。
【請求項７６】
前記通信ユニットは、更に、前記ネットワーク装置により送信された第１の情報を受信するように構成され、前記第１の情報が、ページング又はブロードキャストメッセージ送信の方式を通知する、又は前記第１のパラメータセット及び／又は前記第２のパラメータセットを通知するために用いられることを特徴とする
請求項７１〜７５のいずれか１項に記載の装置。
【請求項７７】
前記第１の情報は、残存最小システム情報（ＲＭＳＩ）、他のシステム情報（ＯＳＩ）、オンデマンドシステム情報又は無線リソース制御（ＲＲＣ）メッセージにより搬送されることを特徴とする
請求項７６に記載の装置。
【請求項７８】
前記処理ユニットは、更に、
現在ページングするページング機会又はブロードキャストメッセージを送信する時間帯に応じて、前記ネットワーク装置からの前記端末装置に対してのページング又はブロードキャストメッセージの送信の方式を確定するように構成されることを特徴とする
請求項７１〜７７のいずれか１項に記載の装置。
【請求項７９】
前記通信ユニットは、更に、
前記ネットワーク装置により送信された第２の情報を受信するように構成され、前記第２の情報が、ページング又はブロードキャストメッセージの送信の方式と時間帯との関連関係を通知するために用いられ、
又は、前記ネットワーク装置からの前記端末装置に対してのページング又はブロードキャストメッセージの送信の方式と時間帯との関連関係は、前記端末装置に予め設定されることを特徴とする
請求項７８に記載の装置。
【請求項８０】
前記第２の情報は、残存最小システム情報（ＲＭＳＩ）、他のシステム情報（ＯＳＩ）、オンデマンドシステム情報又は無線リソース制御（ＲＲＣ）メッセージにより搬送されることを特徴とする
請求項７９に記載の装置。
【請求項８１】
前記処理ユニットは、更に、
前記ネットワーク装置からの前記端末装置に対してのページング又はブロードキャストメッセージの送信の時間範囲内において、同期信号ブロックが送信されているか否か、又は前記ネットワーク装置からの前記端末装置に対してのページング又はブロードキャストメッセージの送信の時間範囲内に、同期信号ブロックの候補送信時間位置があるか否かに基づいて、前記ネットワーク装置からの前記端末装置に対してのページング又はブロードキャストメッセージの送信の方式を確定するように構成されることを特徴とする
請求項７５又は７８〜８０のいずれか１項に記載の装置。
【請求項８２】
前記処理ユニットは、更に、
前記ネットワーク装置からの前記端末装置に対してのページング又はブロードキャストメッセージの送信の時間範囲内において、前記ネットワーク装置から同期信号ブロックが送信されていること、又は前記ネットワーク装置からの前記端末装置に対してのページング又はブロードキャストメッセージの送信の時間範囲内に、同期信号ブロックの候補送信時間位置があることを確定した場合、ページング又はブロードキャストメッセージ送信の方式を前記第１の方式として確定し、
前記ネットワーク装置からの前記端末装置に対してのページング又はブロードキャストメッセージの送信の時間範囲内において、前記ネットワーク装置から同期信号ブロックが送信されていないこと、又は前記ネットワーク装置からの前記端末装置に対してのページング又はブロードキャストメッセージの送信の時間範囲内に、同期信号ブロックの候補送信時間位置がないことを確定した場合、ページング又はブロードキャストメッセージ送信の方式を前記第２の方式として確定するように構成されることを特徴とする
請求項８１に記載の装置。
【請求項８３】
前記通信ユニットは、更に、
確定された方式が前記第１の方式である場合、前記特定の周波数点で前記ネットワーク装置が同期信号ブロックを実際に送信する時間長、時間位置における少なくとも一部のシンボル、サブ搬送波間隔及び時間位置の間隔のうちの少なくとも１つを、前記特定の周波数点で、前記ネットワーク装置が前記端末装置に対してページングを行い、又はブロードキャストメッセージを送信するのに用いる時間長、時間位置における少なくとも一部のシンボル、サブ搬送波間隔及び時間位置の間隔のうちの少なくとも１つ、として確定し、
確定された前記時間長、時間位置及び／又はサブ搬送波間隔に基づいて、前記特定の周波数点で、前記ネットワーク装置からの、前記端末装置に対してのページング又はブロードキャストメッセージの送信をモニタリングするように構成されることを特徴とする
請求項７５、８１又は８２に記載の装置。
【請求項８４】
前記通信ユニットは、更に、
確定された前記方式が第２の方式である場合、前記特定の周波数点で、連続するＮ個の時間位置において、前記ネットワーク装置からの、前記端末装置に対してのページング又はブロードキャストメッセージの送信をモニタリングするように構成されることを特徴とする
請求項７１〜８２のいずれか１項に記載の装置。
【請求項８５】
前記Ｎ個の時間位置は、Ｑ個のタイムスロットを占有し、Ｎ個の時間位置の開始点は、前記Ｑ個のタイムスロット内の１番目のタイムスロットのＭ番目のシンボルであり、ここで、前記Ｑは１以上の整数であり、前記Ｍは１以上の整数であることを特徴とする
請求項８４に記載の装置。
【請求項８６】
前記通信ユニットは、更に、
確定された前記方式が第２の方式である場合、少なくとも２つの隣接する時間位置の間で連続しないＮ個の時間位置で、前記ネットワーク装置からの、前記端末装置に対してのページング又はブロードキャストメッセージの送信をモニタリングするように構成されることを特徴とする
請求項７１〜８２のいずれか１項に記載の装置。
【請求項８７】
前記Ｎ個の時間位置は、Ｔ個の時間位置を含むＲ個のタイムスロットを占有し、ここで、前記Ｒは１以上の整数であり、前記Ｔは１以上の整数であることを特徴とする
請求項８６に記載の装置。
【請求項８８】
前記各タイムスロットにおいて、前記Ｔ個の時間位置の開始点は、前記各タイムスロットのＳ番目のシンボルであり、ここで、前記Ｓは１以上の整数であることを特徴とする
請求項８７に記載の装置。
【請求項８９】
前記各タイムスロットにおいて、前記Ｔ個の時間位置の終了点は、前記各タイムスロットの後ろからＰ番目のシンボルであり、ここで、前記Ｐは１以上の整数であることを特徴とする
請求項８７に記載の装置。
【請求項９０】
前記Ｔが１より大きい場合、前記Ｔ個の時間位置のいずれか２つの時間位置は連続しないことを特徴とする
請求項８７〜８９のいずれか１項に記載の装置。
【請求項９１】
前記Ｔが１より大きい場合、前記Ｔ個の時間位置に少なくとも２つの連続する時間位置が存在することを特徴とする
請求項８７〜８９のいずれか１項に記載の装置。
【請求項９２】
同一のタイムスロット内において、前記少なくとも２つの連続する時間位置と、隣接する前記少なくとも２つの連続する時間位置との間に、少なくとも１つのシンボルの間隔が取られていることを特徴とする
請求項９１に記載の装置。
【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
無線通信方法であって、
ネットワーク装置が、端末装置にページング、又はブロードキャストメッセージを送信するためのパラメータセットを確定することであって、前記確定されたパラメータセットが、第１のパラメータセット又は第２のパラメータセットであることと、
前記ネットワーク装置が、前記確定されたパラメータセットを使用して、特定の周波数点で、端末装置に対してページング、又はブロードキャストメッセージの送信を行うことと、を含むことを特徴とする、
無線通信方法。
【請求項２】
前記ネットワーク装置が、端末装置にページング、又はブロードキャストメッセージを送信するためのパラメータセットを確定することは、
前記ネットワーク装置が、前記端末装置に対してのページング、又はブロードキャストメッセージの送信の方式を確定することであって、確定された前記方式が第１の方式と第２の方式のいずれかであり、前記第１の方式において、特定の周波数点でのページング又はブロードキャストメッセージの送信が、前記第１のパラメータセットを使用し、前記第２の方式において、特定の周波数点でのページング又はブロードキャストメッセージの送信が、前記第２のパラメータセットを使用することを含み、
前記ネットワーク装置が、前記確定されたパラメータセットを使用して、特定の周波数点で、端末装置に対してページング、又はブロードキャストメッセージの送信を行うことは、
前記ネットワーク装置が、確定された前記方式に応じて、特定の周波数点で、前記端末装置に対してページングを行い、又は前記ブロードキャストメッセージを送信すること、を含むことを特徴とする、
請求項１記載の方法。
【請求項３】
前記第１のパラメータセットは、ページング、又はブロードキャストメッセージを送信するための第１の時間位置を含み、
前記第２のパラメータセットは、ページング、又はブロードキャストメッセージを送信するための第２の時間位置を含む、ことを特徴とする
請求項１又は２に記載の方法。
【請求項４】
前記ネットワーク装置が前記端末装置に対してページングを行う又は前記ブロードキャストメッセージを送信することは、
前記第１の時間位置又は第２の時間位置で、ページングのためのＰＤＣＣＨを送信することを含むことを特徴とする
請求項３に記載の方法。
【請求項５】
無線通信方法であって、
端末装置が、ネットワーク装置が前記端末装置にページング又はブロードキャストメッセージを送信するためのパラメータセットを確定することであって、前記確定されたパラメータセットが、第１のパラメータセット又は第２のパラメータセットであることと、
前記端末装置が、前記確定されたパラメータセットを使用して、特定の周波数点で、ネットワーク装置からの端末装置に対してのページング、又はネットワーク装置からのブロードキャストメッセージの送信をモニタリングすることと、を含む、ことを特徴とする、
無線通信方法。
【請求項６】
端末装置が、ネットワーク装置が前記端末装置にページング又はブロードキャストメッセージを送信するためのパラメータセットを確定することは、
前記端末装置が、前記ネットワーク装置からの前記端末装置に対してのページング又はブロードキャストメッセージの送信の方式を確定することであって、確定された前記方式が第１の方式と第２の方式のいずれかであり、前記第１の方式において、特定の周波数点でのページング又はブロードキャストメッセージの送信が、前記第１のパラメータセットを使用し、前記第２の方式において、特定の周波数点でのページング又はブロードキャストメッセージの送信が、前記第２のパラメータセットを使用することを含み、
前記端末装置が、前記確定されたパラメータセットを使用して、特定の周波数点で、ネットワーク装置からの端末装置に対してのページング、又はネットワーク装置からのブロードキャストメッセージの送信をモニタリングすることは、
前記端末装置が、確定された前記方式に応じて、特定の周波数点で、前記ネットワーク装置からの、前記端末装置に対してのページング又はブロードキャストメッセージの送信をモニタリングすること、を含むことを特徴とする、
請求項５に記載の方法。
【請求項７】
前記第１のパラメータセットは、ページング、又はブロードキャストメッセージを送信するための第１の時間位置を含み、
前記第２のパラメータセットは、ページング、又はブロードキャストメッセージを送信するための第２の時間位置を含む、ことを特徴とする
請求項５又は６に記載の方法。
【請求項８】
前記第１のパラメータセットは、ページング、又はブロードキャストメッセージを送信するための第１のサブ搬送波間隔を含み、
前記第２のパラメータセットは、ページング、又はブロードキャストメッセージを送信するための第２のサブ搬送波間隔を含む、
請求項７に記載の方法。
【請求項９】
前記端末装置が、前記ネットワーク装置からの、前記端末装置に対してのページング又はブロードキャストメッセージの送信をモニタリングすることは、
前記端末装置が、前記第１の時間位置又は前記第２の時間位置で、ページングのためのＰＤＣＣＨをモニタリングすることを含むことを特徴とする
請求項７に記載の方法。
【請求項１０】
前記第１の時間位置が、特定の周波数点で同期信号ブロックを実際に送信するのに占用されるシンボルの少なくとも一部である、
請求項７に記載の方法。
【請求項１１】
前記端末装置は、前記ネットワーク装置により送信された第１の情報を受信することを更に含み、前記第１の情報が、ページング又はブロードキャストメッセージ送信の前記方式を通知する、又は前記第１のパラメータセット及び／又は前記第２のパラメータセットを通知するために用いられることを特徴とする
請求項５〜１０のいずれか１項に記載の方法。
【請求項１２】
前記第１の情報は、残存最小システム情報（ＲＭＳＩ）、又は無線リソース制御（ＲＲＣ）メッセージにより搬送されることを特徴とする
請求項１１に記載の方法。
【請求項１３】
ネットワーク装置であって、処理ユニット、通信ユニットを備え、
前記処理ユニットは、端末装置にページング、又はブロードキャストメッセージを送信するためのパラメータセットを確定するように構成され、前記確定されたパラメータセットが、第１のパラメータセット又は第２のパラメータセットであり、
前記通信ユニットは、前記確定されたパラメータセットを使用して、特定の周波数点で、端末装置に対してページング、又はブロードキャストメッセージの送信を行うように構成される、
ネットワーク装置。
【請求項１４】
前記処理ユニットは、端末装置に対してのページング、又はブロードキャストメッセージの送信の方式を確定するようにさらに構成され、確定された前記方式が第１の方式と第２の方式のいずれかであり、前記第１の方式において、特定の周波数点でのページング又はブロードキャストメッセージの送信が、前記第１のパラメータセットを使用し、前記第２の方式において、特定の周波数点でのページング又はブロードキャストメッセージの送信が、前記第２のパラメータセットを使用し、
前記通信ユニットは、確定された前記方式に応じて、特定の周波数点で、前記端末装置に対してページングを行い、又は前記ブロードキャストメッセージを送信するようにさらに構成されることを特徴とする、
請求項１３に記載のネットワーク装置。
【請求項１５】
前記第１のパラメータセットは、ページング、又はブロードキャストメッセージを送信するための第１の時間位置を含み、
前記第２のパラメータセットは、ページング、又はブロードキャストメッセージを送信するための第２の時間位置を含む、ことを特徴とする
請求項１３又は１４に記載のネットワーク装置。
【請求項１６】
前記第１のパラメータセットは、ページング、又はブロードキャストメッセージを送信するための第１のサブ搬送波間隔を含み、
前記第２のパラメータセットは、ページング、又はブロードキャストメッセージを送信するための第２のサブ搬送波間隔を含む、
請求項１５に記載のネットワーク装置。
【請求項１７】
前記第１の時間位置が、特定の周波数点で同期信号ブロックを実際に送信するのに占用されるシンボルの少なくとも一部である、
請求項１５に記載のネットワーク装置。
【請求項１８】
前記通信ユニットは、更に、
第１の情報を前記端末装置に送信するように構成され、前記第１の情報が、ページング又はブロードキャストメッセージ送信の前記方式を通知する、又は前記第１のパラメータセット及び／又は前記第２のパラメータセットを通知するために用いられ、
前記第１の情報は、残存最小システム情報（ＲＭＳＩ）、又は無線リソース制御（ＲＲＣ）メッセージにより搬送されることを特徴とする
請求項１３〜１７のいずれか１項に記載のネットワーク装置。
【請求項１９】
端末装置であって、処理ユニット、通信ユニットを含み、
前記処理ユニットは、ネットワーク装置が前記端末装置にページング又はブロードキャストメッセージを送信するためのパラメータセットを確定するように構成され、前記確定されたパラメータセットが、第１のパラメータセット又は第２のパラメータセットであり、
前記通信ユニットが、前記確定されたパラメータセットを使用して、特定の周波数点で、ネットワーク装置からの端末装置に対してのページング、又はネットワーク装置からのブロードキャストメッセージの送信をモニタリングするように構成される、ことを特徴とする、
端末装置。
【請求項２０】
前記処理ユニットは、前記ネットワーク装置からの前記端末装置に対してのページング又はブロードキャストメッセージの送信の方式を確定するようにさらに構成され、確定された前記方式が第１の方式と第２の方式のいずれかであり、前記第１の方式において、特定の周波数点でのページング又はブロードキャストメッセージの送信が、前記第１のパラメータセットを使用し、前記第２の方式において、特定の周波数点でのページング又はブロードキャストメッセージの送信が、前記第２のパラメータセットを使用し、
前記通信ユニットが、確定された前記方式に応じて、特定の周波数点で、前記ネットワーク装置からの、前記端末装置に対してのページング又はブロードキャストメッセージの送信をモニタリングするようにさらに構成されることを特徴とする、
請求項１９に記載の端末装置。
【請求項２１】
前記第１のパラメータセットは、ページング、又はブロードキャストメッセージを送信するための第１の時間位置を含み、
前記第２のパラメータセットは、ページング、又はブロードキャストメッセージを送信するための第２の時間位置を含む、ことを特徴とする
請求項１９又は２０に記載の端末装置。
【請求項２２】
前記第１のパラメータセットは、ページング、又はブロードキャストメッセージを送信するための第１のサブ搬送波間隔を含み、
前記第２のパラメータセットは、ページング、又はブロードキャストメッセージを送信するための第２のサブ搬送波間隔を含む、
請求項２１に記載の端末装置。
【請求項２３】
前記通信ユニットは、更に、
前記第１の時間位置又は前記第２の時間位置で、ページングのためのＰＤＣＣＨをモニタリングするように構成されることを特徴とする
請求項２１に記載の端末装置。
【請求項２４】
前記第１の時間位置が、特定の周波数点で同期信号ブロックを実際に送信するのに占用されるシンボルの少なくとも一部である、ことを特徴とする
請求項２１に記載の端末装置。
【請求項２５】
前記通信ユニットは、更に、前記ネットワーク装置により送信された第１の情報を受信するように構成され、前記第１の情報が、ページング又はブロードキャストメッセージ送信の方式を通知する、又は前記第１のパラメータセット及び／又は前記第２のパラメータセットを通知するために用いられることを特徴とする
請求項１９〜２４のいずれか１項に記載の端末装置。
【請求項２６】
前記第１の情報は、残存最小システム情報（ＲＭＳＩ）、又は無線リソース制御（ＲＲＣ）メッセージにより搬送されることを特徴とする
請求項２５に記載の端末装置。
【国際調査報告】
2021510285.tif 000015
2021510285.tif 000016
2021510285.tif 000017
2021510285.tif 000018